(57)【要約】【課題】  樹脂製カードと紙製カードとを選択的に発行することができるばかりではなく、装置全体を小型化し設置面積を少なくすることができ低コスト化することができる新規な券処理ユニットを提供する。【解決手段】  カードが発行されるカード発行部２０，２１，２２と、可視情報又は非可視情報の少なくとも何れか一方が記録可能となされた樹脂製カードが収納される第１のカード収容部７０と、可視情報又は非可視情報の少なくとも何れか一方が記録可能となされ主要な素材が紙となされた紙製カードが収納される第２のカード収容部８０，８１と、上記第１のカード収容部７０又は上記第２のカード収容部８０，８１の何れか一方から選択的に排出された上記樹脂製カード又は紙製カードを、上記カード発行部方向に搬送する搬送機構２６，５５と、を有し、上記第１のカード収容部７０から排出された樹脂製カードと上記第２のカード収容部８０，８１から排出された紙製カードとは、それぞれ上記共通の上記搬送機構２６，５５により上記カード発行部２０，２１，２２まで搬送される。【選択図】  図３
2005056116.tif 000002
【特許請求の範囲】
【請求項１】
カードが発行されるカード発行部と、
可視情報又は非可視情報の少なくとも何れか一方が記録可能となされた樹脂製カードが収納される第１のカード収容部と、
可視情報又は非可視情報の少なくとも何れか一方が記録可能となされ主要な素材が紙となされた紙製カードが収納される第２のカード収容部と、
上記第１のカード収容部又は上記第２のカード収容部の何れか一方から選択的に排出された上記樹脂製カード又は紙製カードを、上記カード発行部方向に搬送する搬送機構と、を有し、
上記第１のカード収容部から排出された樹脂製カードと上記第２のカード収容部から排出された紙製カードとは、それぞれ上記共通の上記搬送機構により上記カード発行部まで搬送されることを特徴とする券処理ユニット。
【請求項２】
前記樹脂製カードは、一面には可視情報が書き換え可能に印字記録される印字記録層が形成されてなるとともに、他面には磁気情報が書き換え可能に磁気記録される磁気記録層が形成されたリライトカードであり、前記紙製カードは、一面には可視情報が印字記録され、他面には非可視情報が書き換え可能に磁気記録される磁気記録層が形成されてなるものであって、
前記搬送機構による上記樹脂製カード又は紙製カードの搬送ルートの途中には、上記樹脂製カードの一面及び紙製カードの一面に印字記録する印字ヘッドと、上記樹脂製カードの他面及び紙製カードの他面に磁気記録する磁気ヘッドとが配置されてなるとともに、
少なくとも上記印字ヘッドは、樹脂製カード又は紙製カードの何れかに応じて加熱温度が制御されるよう構成されてなることを特徴とする請求項１記載の券処理ユニット。
【請求項３】
前記カード発行部は、発行済みの樹脂製カード及び紙製カードが挿入されるカード挿入部としての機能を有するとともに、該樹脂製カード又は紙製カードが挿入されたことを検出するカード検出部が配置され、
前記搬送機構は、このカード発行部から挿入された樹脂製カード及び紙製カードを新たに発行される樹脂製カード及び紙製カードの搬送方向とは逆方向に搬送する機能を有するとともに、
この搬送機構による上記樹脂製カード及び紙製カードの搬送ルートの途中には、上記カード発行口から挿入された樹脂製カードの印字記録層に印字記録された可視情報を消去する消去ヘッドが配置され、
前記磁気ヘッドは、上記カード発行口から挿入された樹脂製カード及び紙製カードの磁気記録層に磁気記録された非可視情報を読込み且つ書き換える機能を備えてなることを特徴とする請求項２記載の券処理ユニット。
【発明の詳細な説明】
【技術分野】
【０００１】
本発明は、例えば、カードを媒体として各種の精算処理を行う精算処理装置やカードを発行する発券機（又は券売機）等に内蔵される券処理ユニットに関するものである。
【背景技術】
【０００２】
プリペイドカードや定期カード（定期券）を媒体として各種の精算処理を行う精算処理装置やカードを発行する発券機（又は券売機）は、これまで各種のものが提案され実施されている。例えば、ガソリンスタンド等の給油施設では、人件費の削減乃至は省力化を目的に、近年、プリペイドカードを用いて精算処理する精算処理装置の導入が増加しつつあり、駐車場施設においても、定期券を用いて精算処理する精算処理装置が採用されている施設がある。また、発券機（又は券売機）としては、こうした各種の精算処理装置に用いられるプリペイドカード又は定期券等を発行する以外に、身分証明書や入場券等として用いられるカードを発行するものもある。
【０００３】
ところで、こうしたプリペイドカードや定期券又は身分証明書若しくは入場券等として用いられる各種のカードは、樹脂を素材として方形状に成形され必要な情報が記録される記録層が形成された樹脂製カードと、紙を主要な素材として方形状に成形され必要な情報が記録される記録層が形成された紙製カードに大別することができ、また、発券機（又は券売機）としても、上記樹脂製カードを発行するものと、紙製カードを発行するものとに大別することができる。そして、上記樹脂製カードを発行する機能を有する精算装置としては、例えば、給油料金精算装置の機能として所謂リライトカードを発行するものが開示されおり（特許文献１参照）、また、上記紙製カードを発行する装置としてファンボールド紙（つづら折れ券）を切断して発行するものが開示されている（特許文献２参照）。
【特許文献１】特開２０００−３４５７号公報
【特許文献２】実公平６−２０２０４号公報
【発明の開示】
【発明が解決しようとする課題】
【０００４】
しかしながら、上記リライトカードを含めた樹脂製カードは、１枚あたりの製造コストは、紙製カードのそれと比較した場合、極めて高コストであり、短期間に廃棄される可能性が高いカードを発行する場合においては、紙製カードを発行し、長期間に亘って使用されるカードは、樹脂製カードを発行することが望ましく、発券機（又は券売機）又は発券機能を有する精算処理装置等に内蔵される券処理ユニットとしては、樹脂製カードと紙製カードとの両方を発行する機能が要求される。例えば、精算処理装置に使用されるカードを発行する際においては、高額な金銭的価値を有するカードは樹脂製カードとし、小額な金銭的価値を有するカードは紙製カードを発行する方式が望まれる。他にも、カードが、身分証明書や入場券等として発行される場合、使用者が長期使用者である場合は樹脂製カードを発行し、１回又は短期間内に廃棄されることが予想されるカードは紙製カードを発行することが望まれる。そこで、こうした観点から、上記特許文献１に開示された樹脂製カードを発行する券処理ユニットと、上記特許文献２に開示された券処理ユニットをそれぞれ内蔵する装置として設計することが考えられる。しかし、こうした装置では、全体の大きさが極めて大型化し、広い設置面積が必要となるばかりか、高コスト化も避けることができない。
【０００５】
そこで、本発明は、上述した従来の精算処理装置や発券機（又は券売機）等に内蔵される券処理ユニットが有する課題を解決するために提案されたものであって、樹脂製カードと紙製カードとを選択的に発行することができるばかりではなく、装置全体を小型化し設置面積を少なくすることができ低コスト化することができる新規な券処理ユニットを提供することを目的とするものである。
【課題を解決するための手段】
【０００６】
本発明は、上記目的を達成するために提案されたものであって、第１の発明（請求項１記載の発明）は、カードが発行されるカード発行部と、可視情報又は非可視情報の少なくとも何れか一方が記録可能となされた樹脂製カードが収納される第１のカード収容部と、可視情報又は非可視情報の少なくとも何れか一方が記録可能となされ主要な素材が紙となされた紙製カードが収納される第２のカード収容部と、上記第１のカード収容部又は上記第２のカード収容部の何れか一方から選択的に排出された上記樹脂製カード又は紙製カードを、上記カード発行部方向に搬送する搬送機構と、を有し、上記第１のカード収容部から排出された樹脂製カードと上記第２のカード収容部から排出された紙製カードとは、それぞれ上記共通の上記搬送機構により上記カード発行部まで搬送されることを特徴とするものである。
【０００７】
なお、上記樹脂製カードと紙製カードとの何れを発行するかの選択基準は、この券処理ユニットが内蔵される装置の用途や機能による。例えば、この券処理ユニットが内蔵される装置が、カードを発行する発券機（又は券売機）であり、この発券機（又は券売機）により発行されるカードが精算処理装置を利用してなされる料金の精算に使用される場合には、それぞれのカードに記録される金銭（金銭的価値情報）の多寡による。また、この券処理ユニットが内蔵される装置が、駐車場施設や鉄道等を利用する際に使用される定期券（定期カード）や身分証明書を発行する発券機（又は券売機）であり、こうした発券機（又は券売機）から発行されたカードが、所定のゲートの出入口等に設置されたカード処理装置に挿入されて使用される場合には、該定期券（定期カード）等に記録される利用期間の長短による。また、樹脂製カードと紙製カードとの何れを発行するかの選択基準としては、上述した例のように、それぞれ金銭の多寡や利用期間の長短の差異はあっても同一の用途や目的で使用されることを前提としたものに限られるものではなく、発行されるカードが互いに異なる用途や目的で使用されることを前提とされるものも含まれる。例えば、プリペイドカードや定期券（定期カード）として発行されるカード（反復継続して使用されるカード）は樹脂製カードが発行され、領収書，駐車券（又は利用証明書），割引券，お釣り預かり券，当たり券等（反復して使用されないカード）は紙製カードが発行されるという場合は、プリペイドカード等と領収書等とは、それぞれ用途や目的は異なるが、こうした選択基準も、樹脂製カード又は紙製カードの発行の際の選択基準として挙げることができる。
【０００８】
また、第２の発明（請求項２記載の発明）は、上記第１の発明において、前記樹脂製カードは、一面には可視情報が書替可能に印字記録される印字記録層が形成されてなるとともに、他面には非可視情報が書替可能に磁気記録される磁気記録層が形成されたリライトカードであり、前記紙製カードは、一面には可視情報が印字記録され、他面には磁気情報が書替可能に磁気記録される磁気記録層が形成されてなるものであって、前記搬送機構による上記樹脂製カード又は紙製カードの搬送ルートの途中には、上記樹脂製カードの一面及び紙製カードの一面に印字記録する印字ヘッドと、上記樹脂製カードの他面及び紙製カードの他面に磁気記録する磁気ヘッドとが配置されてなるとともに、少なくとも上記印字ヘッドは、樹脂製カード又は紙製カードの何れかに応じて加熱温度が制御されるよう構成されてなることを特徴とするものである。
【０００９】
また、第３の発明（請求項３記載の発明）は、上記第２の発明において、前記カード発行部は、発行済みの樹脂製カード及び紙製カードが挿入されるカード挿入部としての機能を有し、前記搬送機構は、このカード発行部から挿入された樹脂製カード及び紙製カードを新たに発行される樹脂製カード及び紙製カードの搬送方向とは逆方向に搬送する機能を有するとともに、この搬送機構による上記樹脂製カード及び紙製カードの搬送ルートの途中には、上記カード発行口から挿入された樹脂製カードの印字記録層に印字記録された可視情報を消去する消去ヘッドが配置され、前記磁気ヘッドは、上記カード発行口から挿入された樹脂製カード及び紙製カードの磁気記録層に磁気記録された非可視情報を読込み且つ書き換える機能を備えてなることを特徴とするものである。
【００１０】
なお、上述した第３の発明に係る券処理ユニットの動作の手順の一例を簡単に説明すると、図１に示すように、ステップ１において、カード発行動作の要否が判別され、カードの発行が必要であると判別された場合には、ステップ２に進む。このステップ１における判別は、例えば、この券処理ユニットが内蔵された装置が、発券機（発券機能を有する料金の精算処理装も含む）であって、該発券機の利用者により、プリペイドカード，定期券（定期カード）等を購入する意思表示がなされた場合や、該券処理ユニットが料金の精算処理装置に内蔵された場合であって、該精算処理装置における所定の情報処理の結果、プリペイドカードや領収書，割引券等が発行されることが要求された場合を挙げることができる。そして、ステップ２においては、樹脂製カードであるリライトカードの発行の要否が判別され、該リライトカードの発行が要求される場合には、ステップ３に進む。上記ステップ２における判別は、例えば、発行されるべきカードに記録されるべき情報が、例えば、金銭価値情報である場合であって、該金銭価値情報が一定以上であるか否か、或いは、使用期間情報である場合であって、該使用期間情報が一定上であるか否かが判別基準とされる。そして、こうした判別基準に基づいて、樹脂製カード（リライトカード）が発行されるべきと判別された場合には、ステップ３において、前記第１のカード収容部から樹脂製カード（リライトカード）が排出されるとともに、該樹脂製カードは、前記搬送機構によりカード発行部方向に搬送され、ステップ４に進む。このステップ４では、上記印字ヘッドに対する加温（加熱）温度が設定（制御）されるとともに、磁気ヘッドの書き込み（記録）抗磁力が設定（制御）される。すなわち、このステップ４では、リライトカードに対して鮮明に印字されるべき所定温度（例えば、摂氏約１７０度）となるように、印字ヘッドが制御され、また、該リライトカードへの磁気記録に適した抗磁力（例えば、１３９ＫＡ／ｍ）となるように磁気ヘッドが制御され、ステップ５に進む。このステップ５においては、上記磁気ヘッドにより、リライトカードに磁気情報（非可視情報）が磁気記録される。
【００１１】
また、上記ステップ２において、樹脂製カード（リライトカード）が発行されるべきではいと判別された場合、すなわち、紙製カードが発行されるべきであると判別された場合には、ステップ６に進む。このステップ６においては、前記第２のカード収容部から紙製カードが排出されるとともに、該紙製カードは、前記樹脂製カードが搬送されるのと同じ搬送機構によりカード発行部方向に搬送され、ステップ７に進む。このステップ７では、上記印字ヘッドに対する加温（加熱）温度が設定（制御）されるとともに、磁気ヘッドの書き込み（記録）抗磁力が設定（制御）される。すなわち、このステップ７では、紙製カードに対して鮮明に印字されるべき所定温度（例えば、摂氏約１２０度）となるように、印字ヘッドが制御され、また、該紙製カードへの磁気記録に適した抗磁力（例えば、２１９ＫＡ／ｍ）となるように磁気ヘッドが制御され、上記ステップ５に進む。このステップ５においては、上記磁気ヘッドにより、紙製カードに磁気情報（非可視情報）が磁気記録される。また、前記ステップ１において、カードの発行が不要であると判別された場合には、ステップ８に進み、このステップ８においては、カード発行部からカードが挿入されたか否かが判別され、カードが挿入された場合には、ステップ９に進む。上記カードは、発行済みのリライトカードのような樹脂製カード又は発行済みの紙製カードである。また、この樹脂製カードの具体例としては、プリペイドカードや身分証明書或いは定期券（定期カード）を挙げることができ、紙製カードの具体例としては、繰り返し使用されるプリペイドカードや身分証明書，定期券（定期カード）以外に、割引券，お釣り預かり券等を挙げることができる。そして、上記ステップ９においては、挿入された上記カードに磁気記録された磁気情報（非可視情報）が、磁気ヘッドにより読取られ、ステップ１０に進む。このステップ１０では、上記カード発行部から挿入されたカードが樹脂製カード（リライトカード）であるか否かが判別され、リライトカードであると判別された場合には、上記ステップ４に進み、紙製カードであると判別された場合には、上記ステップ７に進む。
【００１２】
そして、上記ステップ５により、リライトカード又は紙製カードに磁気記録されると、次いで、ステップ１１に進み、リライトカードに印字されている可視情報を消去する必要があるか否かが判別され、消去の必要があると判別された場合には、ステップ１２に進む。ステップ１２に進む場合、すなわち、消去の必要性がある場合とは、発行済みのリライトカードが挿入された場合であって、該リライトカードに形成された記録層に印字スペースが無い場合を挙げることができる。上記消去の必要があると判別された場合には、ステップ１２において、上記可視情報が消去ヘッドにより消去される。一方、ステップ１１において、消去の必要がないと判別される場合としては、新たに樹脂製カード（リライトカード）や紙製カードが発行される場合や、挿入されたリライトカードに印字された可視情報を消去する必要が無いと判別された場合、さらには、挿入された発行済みのカードが紙製カードである場合もこれに含まれる。そして、上記ステップ１１において、非可視情報を消去する必要が無いと判別された場合、或いは、ステップ１２の動作を経た場合には、ステップ１３に進み、上記印字ヘッドにより必要な可視情報が印字記録され、ステップ１４において、樹脂製カード（リライトカード）又は紙製カードがカード発行部へ搬送される。なお、上記各動作は、カード搬送機構，印字ヘッド，消去ヘッド，磁気ヘッド等に接続された中央演算処理装置（ＣＰＵ）を介して行われる。
【発明の効果】
【００１３】
上述した本発明の各実施例の説明からも明らかなように、本発明（請求項１記載の発明）では、第１のカード収容部又は上記第２のカード収容部の何れか一方から選択的に排出された上記樹脂製カード又は紙製カードをカード発行部方向に搬送する搬送機構を備え、上記第１のカード収容部から排出された樹脂製カードと上記第２のカード収容部から排出された紙製カードとは、それぞれ上記共通の搬送機構により上記カード発行部まで搬送されることから、単に、樹脂製カードと紙製カードとを発行することができるばかりではなく、装置の小型化を有効に達成するこができ、また、装置の設置面積を少なくすることができるとともに、低コスト化に十分貢献することができる。
【００１４】
また、第２の発明（請求項２記載の発明）では、印字ヘッドは、樹脂製カード又は紙製カードの何れかに応じて加熱温度が制御されるとともに、上記磁気ヘッドは、樹脂製カード又は紙製カードの何れかに応じて抗磁力が制御されるよう構成されてなることから、より一層小型化を実現することができ、また、低コスト化を図ることができる。また、こうした券処理ユニットによれば、樹脂製カードと紙製カードとの何れが選択され発行される場合であっても、樹脂製カード及び紙製カードの双方に対して、上記印字ヘッドにより鮮明に印字記録することができ、利用者による誤認を有効に防止することができ、また、磁気ヘッドにより磁気記録された情報の安定化を図ることが可能となり、さらには、磁気記録された情報を正確に読み取ることができる樹脂製及び紙製カードを発行することができる。
【００１５】
また、第３の発明（請求項３記載の発明）では、前記カード発行部は、発行済みの樹脂製カード及び紙製カードが挿入されるカード挿入部としての機能を有し、前記搬送機構は、このカード発行部から挿入された樹脂製カード及び紙製カードを新たに発行される樹脂製カード及び紙製カードの搬送方向とは逆方向に搬送する機能を有することから、上記印字ヘッドや磁気ヘッドにより可視情報や非可視情報を記録して選択的に発行することができるばかりではなく、前記磁気ヘッドにより、発行済みの樹脂製カードや紙製カードに記録された磁気記録情報を読み取り、この磁気記録情報の内容に従って、上記印字ヘッドにより新たな可視情報を印字記録層に追加印字するとともに、上記磁気ヘッドにより、新たな非可視情報を磁気記録した後に、上記搬送機構を介して上記カード発行部から発行（返却）することができる。
【００１６】
さらに、この第３の発明では、搬送機構による上記樹脂製カード及び紙製カードの搬送ルートの途中には、上記カード発行口から挿入された樹脂製カードの印字記録層に印字記録された可視情報を消去する消去ヘッドが配置されてなるとともに、前記磁気ヘッドは、上記カード発行口から挿入された樹脂製カード及び紙製カードの磁気記録層に磁気記録された非可視情報を読取り且つ消去する機能を備えてなることから、上記カード発行部から挿入されたカードが、発行済みの樹脂製カードである場合においては、該樹脂製カードに印字記録された可視情報の全部又は一部を、上記消去ヘッドを用いて消去することができるとともに、磁気記録された非可視情報を読取り且つ該非可視情報の全部又は一部を、上記磁気ヘッドを用いて消去することができる。また、上記カード発行部から挿入されたカードが、発行済みの紙製カードである場合においては、該紙製カードに磁気記録された非可視情報を、上記磁気ヘッドにより消去することができる。したがって、この第３の発明によれば、発行済みの樹脂製カードや紙製カードの磁気記録層に記録された非可視情報（磁気情報）を上記磁気ヘッドにより読込み、その磁気情報に従って、発行済みの樹脂製カードの印字記録層に印字記録された可視情報の全部又は一部を、上記印字ヘッド及び消去ヘッドを用いて書き換えることができるとともに、発行済み紙製カードの磁気記録層に磁気記録された非可視情報を、上記磁気ヘッドを用いて書き換えることができる。
【００１７】
換言すれば、この第３の発明に係る券処理ユニットは、前記第１の発明のように、樹脂製カード又は紙製カードの何れかを選択的に発行する機能を有する装置（発券機等）に内蔵可能となるばかりでなく、こうした機能に加えて、発行済みの樹脂製カード又は紙製カードの何れかが挿入された場合に、該発行済みの樹脂製カード又は紙製カードに記録された非可視情報（磁気記録情報）に基づいて、新たな印字記録及び磁気記録をなす機能を有する装置（精算処理装置やゲートゲートの出入口等に設置されたカード処理装置）にも内蔵することができる。
【発明を実施するための最良の形態】
【００１８】
以下、本発明の各実施例を、図面を参照しながら詳細に説明する。
【実施例１】
【００１９】
先ず、第１の実施例に付いて、図面を参照しながら詳細に説明する。なお、以下に説明する実施例は、本発明に係る券処理ユニットを、給油料金精算装置（以下、精算装置という。）に適用したものである。
【００２０】
この精算装置１は、図２に示すように、給油装置２の隣に設置されており、この給油装置２と精算装置１とは、互いに電気的に接続されている。なお、この給油装置２は、従来の給油装置と同様の構成からなるものであって、筐体３の正面には、第１ないし第３のノズルホルダー４，５，６が設けられており、上記第１のノズルホルダー４には、第１の給油ノズル７が支持されている。また、上記第２のノズルホルダー４には，第２の給油ノズル８が支持され、第３のノズルホルダー６には、第３の給油ノズル９が支持されている。なお、上記第１ないし第３のノズルホルダー４，５，６には、それぞれ上記第１，第２又は第３の給油ホルダー７，８，９の何れかが取り外されたことを検出する図示しない第１の検出部と、取り外された第１，第２又は第３の給油ホルダー７，８，９が再び支持されたことを検出する図示しない第２の検出部がそれぞれ配置されており、これら第１及び第２の検出部は、上記精算装置１に接続されている。なお、この実施例においては、上記第１の給油ノズル７は、ハイオクガソリンを給油するために使用されるものであり、チューブ７ａを介して図示しないハイオクガソリンタンクに接続されている。また、上記第２の給油ノズル８は、レギュラーガソリンを給油するために使用されるものであり、チューブ８ａを介して図示しないレギュラーガソリンタンクに接続され、同じように、上記第３の給油ノズル９は、軽油を給油するために使用されるものであり、チューブ９ａを介して図示しない軽油タンクに接続されている。また、これら第１ないし第３の給油ノズル７，８，９を支持する上記ノズルホルダー４，５，６には、不必要に（一定の条件を満たさない場合に）取り出すことができないように図示しないロック機構が設けられている。なお、この給油装置２の構成は、従来使用されている給油装置２と略同様であることから詳細な説明は省略する。
【００２１】
上記給油装置２に接続された精算装置１は、略箱状に成形された図示しない筐体を備え、図２に示すように、正面には、この筐体の正面に形成された開口を閉塞する開閉パネル１０が設けられ、この開閉パネル１０の正面には、表示部１１が配置されている。この表示部１１は、図示しない中央演算処理装置（ＣＰＵ）に接続されたカラーＬＣＤ（液晶ディスプレー）表示装置であり、利用者がこの精算装置１を使用する場合に必要な情報が表示されるとともに、利用者が手指で押圧するタッチパネルが形成されている。すなわち、利用者は、この表示部１１に表示された案内情報に従って該表示部１１に形成された所定の押圧部を押圧することにより、給油が可能となるとともに給油料金を精算することができる。なお、この表示部１１により表示される案内情報の詳細は後述する。また、上記表示部１１の下方には、後述する樹脂製プリペイドカード（リライトカード）や紙製カード（プリペイドカード，割引券，お釣り預かり券）が挿入されるとともに、樹脂製プリペイドカードや紙製カード（プリペイドカード，割引券，お釣り預かり券）が発行され又は返却されるカード挿入口１２が形成されている。また、上記表示部１１の右側には、クレジットカードが挿通されるクレジットカードリーダー１３が形成され、このクレジットカードリーダー１３の下方（カード挿入口１２の右側）には、硬貨投入口１４と、紙幣投入口１５と、釣札放出口１６と、釣銭受け皿１７とが設けられている。なお、上記釣札放出口１６と釣銭受け皿１７とは、本発明を構成する釣銭返却部である。
【００２２】
そして、上記精算装置１の内部には、図３に示すように、券処理ユニット（符号は省略する。）が内蔵されている。この券処理ユニットは、内部に図示しない中央演算処理装置（ＣＰＵ）が内蔵されてなるとともに、上記開閉パネル１０に形成されたカード挿入口１２から挿入されたカード（樹脂製プリペイドカード又は紙製プリペイドカード，割引券，お釣り預かり券）を下側からガイドするガイド板２０と、このガイド板２０の後方側中途部に形成された上下一対のガイドローラ２１，２２とを備えている。なお、上記ガイド板２０には、カードの挿入方向に対して左右両側に図示しない起立部がそれぞれ形成されている。また、上記上下一対のガイドローラ２１，２２は、上記カード挿入口１２から挿入されたカードを上記ガイド板２０と平行にするものである。また、この一対のガイドローラ２１，２２の後方には、上記シャッター２３が配置されている。このシャッター２３は、上記挿入されたカードの挿入を規制するものであり、該シャッター２３の近傍に固定され図示しない中央演算処理装置（ＣＰＵ）に接続されたソレノイド２４により上下方向に駆動自在とされてなるものである。なお、このシャッター２３は、内部に雨水や塵埃が浸入することを防止するものであり、上記表示部１１に表示された案内表示に基づいて、後述するプリペイドカード，割引券又はお釣り預かり券の挿入が上記カード挿入口１２から挿入されることが予定される場合に上昇し、また、その後の案内表示に基づく利用者の選択により、次ぎの操作に移ることによって該カード挿入口１２から上記プリペイドカード等の挿入が予定されない場合には下降し、プリペイドカード等の挿入を規制するものである。なお、上記ガイド板２０やガイドローラ２１，２２は、本発明を構成するカード発行部であるとともに、カードが挿入される部位である。
【００２３】
また、上記シャッター２３の後方には、上記カード挿入口１２からプリペイドカード等が挿入されたことを検出するとともに、カードが放出（返却又は発行）されたことを検出するカード挿入放出センサ２５が取り付けられている。そして、このカード挿入放出センサ２５は、中央演算処理装置（ＣＰＵ）に接続され、該カード挿入放出センサ２５の後方には、挿入されたプリペイドカード等をさらに後方に搬送するとともに、発行又は返却されるプリペイドカード等を上記カード挿入口１２方向に搬送する前方側カード搬送機構２６が設けられている。この前方側カード搬送機構２６は、基端側を中心に回動可能となされた前方側カバー２６ａにより保護されてなるものであって、複数のプーリ（符号は省略する。）に掛け渡された下側搬送ベルト２７と、同様に複数のプーリ（符号は省略する。）に掛け渡された上側搬送ベルト２８を備えている。なお、上記下側搬送ベルト２７と上側搬送ベルト２８とは、該下側搬送ベルト２７の正面側下方に配置された搬送モータ２９を駆動源としている。そして、この前方側カード搬送機構２６によるプリペイドカード等の搬送ルートの途中であって、上記下側搬送ベルト２７のやや上方には、磁気読取センサ３０が取り付けられている。また、この磁気読取センサ３０の後方には、磁気ヘッド３１が配置されている。この磁気ヘッド３１は、上記磁気読取センサ３０によるプリペイドカード等の存在を検出することにより駆動するものであって、プリペイドカード等に磁気記録された情報（例えば、利用可能残高情報，利用期限情報，割引金額情報，釣銭金額情報等）を読み取るとともに、該プリペイドカード等に磁気記録するリードライトヘッドである。また、この磁気ヘッド３１の後方であって、上記磁気読取センサ３０の取付高さとほぼ同じ高さには、磁気書込みセンサ３２が取り付けられている。すなわち、この精算装置１では、後方から前方方向に搬送されてきたプリペイドカード等は、この磁気書込みセンサ３２によりその存在が検出され、上記磁気ヘッド３１が駆動（利用残高情報，給油金額情報，給油量，利用期限情報，割引金額情報，釣銭金額情報等）するように構成されている。また、上記磁気書込みセンサ３２の後方には、後述するプリペイドカード，割引券，お釣り預かり券又はプレゼント券に印字するサーマル（印字）ヘッド３３が取り付けられており、このサーマルヘッド３３の後方には、消去ヘッド３４が取り付けられている。なお、上記サーマルヘッド３３の下方には、該サーマルヘッド３３及び上記消去ヘッド３４の上端位置を検出する上端検出センサ３５が取り付けられ、また、上記消去ヘッド３４の下方には、上記サーマルヘッド３３及び消去ヘッド３４の下端位置を検出する下端検出センサ３６が取り付けられている。
【００２４】
そして、上記上側搬送ベルト２８と下側搬送ベルト２７とを備えた上記前方側カード搬送機構２６の下方には、上記カード挿入口１２から挿入されたプリペイドカードや割引券等を回収し収容するカード回収ボックス４０が配置されており、上記前方側カード搬送機構２６の後方には、上記カード回収ボックス４０にプリペイドカード等を搬送する回収用カード搬送機構４１が設けられている。この回収用カード搬送機構４１は、上記前方側カード搬送機構２６により搬送されたプリペイドカード等の搬送ルートの下方に配置された大径の下側プーリ４３と、この下側プーリ４３の上方に配置され該下側プーリ４３の周面に接する中径プーリ４４と、小径プーリ４５等に掛け渡されてなる一方の回収用ベルト４６と、複数の小径プーリ４７に掛け渡されてなる他方の回収用ベルト４８と、上記前方側カード搬送機構２６により後方に搬送されたカードをこれら一方の回収用ベルト４６と他方の回収用ベルト４８との間に導く、回動フラッパー（切替部材）５０とを備えている。この回動フラッパー５０は、上記前方側カード搬送機構２６により搬送されたプリペイドカード等の先端側を下方にガイドするガイド面（符号は省略する。）を下面に備えてなるものであって、前方側カード搬送機構２６により搬送されたプリペイドカード等の先端が該ガイド面に当接する位置又は該前方側カード搬送機構２６によるカードの搬送ルートから逃げる位置（該搬送ルートの下方）に回動自在とされてなるものである。なお、この精算装置１では、上記回動フラッパー５０の近傍には、第１のソレノイド５１が配置され、この第１のソレノイド５１の駆動により回動するように構成されている。
【００２５】
また、上記前方側カード搬送機構２６の後方であって、上記回動フラッパー５０の後方には、基端側を中止に回動可能となされた後方側カバー５５ａにより保護されてなる後方側カード搬送機構５５が設けられている。この後方側カード搬送機構５５は、上記前方側カード搬送機構２６により搬送されたプリペイドカードをさらに後方側に搬送し一時保留するとともに、後述する樹脂製プリペイドカードや後述する紙製カードである（紙製）プリペイドカード，割引券，お釣り預かり券，プレゼント券を前方側に搬送するものである。この後方側カード搬送機構５５は、一方の前方小径プーリ５６から後方小径プーリ５７に亘って掛け渡された上側搬送ベルト５８と、上記一方の前方小径プーリ５７の下方に配置された他方の前方小径プーリ５９と、上記後方小径プーリ５７の下方に配置された大径プーリ６０と、この大径プーリ６０の下方に配置された小径プーリ６１とに掛け渡された下側搬送ベルト６２とを備えている。なお、この精算装置１では、上記第１のソレノイド５１の近傍には、上記一方の前方小径プーリ５６に図示しないベルトを介して接続された搬送モータ６３が配置され、この搬送モータ６３の駆動により上記下側搬送ベルト６２が走行するように構成されている。また、上記一方の前方小径プーリ５６の後方には、上記前方側カード搬送機構２６から、プリペイドカード等がこの後方側搬送機構５５に搬送されてきたことを検出するとともに、上記駆動モータ６３の駆動を停止する一時保留センサ６５が取り付けられている。
【００２６】
また、上記後方側カード搬送機構５５の後方には、下方が開放された第１のカード収容部（ケース）７０が設けられ、この第１のカード収容部７０内には、樹脂製プリペイドカード（リライトカード）Ｃ１が多数枚積層された状態で収容されている。この第１のカード収容部７０の背面には、開閉蓋７０ａが取り付けられ、図３中二点鎖線で示すように開放することができる。この樹脂製プリペイドカードＣ１は、ポリエチレンテレフタレート等からなる樹脂製の基材の一方の面（下面）には、利用残高情報，利用日時情報，ポイント情報等が磁気記録される磁気記録層が形成され、他方の面（上面）には、所定の温度に加温させることにより、可視的に印字され且つ印字された情報が消去されるロイコ染料が塗布されてなり、上記利用残高情報，利用日時情報，ポイント情報等が記録される印字記録層が形成されてなるもの（所謂リライトカード）である。なお、上記第１のカード収容部７０内には、最も上に積まれた樹脂製プリペイドカードＣ１上に載置される重り７１が配置され、左側板（符号は省略する。）の内側面には、この重り７１の昇降をガイドする二つのガイド部７２，７２が設けられている。
【００２７】
そして、上記第１のカード収容部７０の下方には、該第１のカード収容部７０内に収容された樹脂製カードＣ１の内、最も下方に位置する樹脂製カードＣ１を上記後方側カード搬送機構５５方向に繰り出す繰出ローラ７５が配置され、この繰出ローラ７５には連結ギア７６を介して繰出モータ７７に連結されている。すなわち、この実施例に係る精算装置１では、この繰出モータ７７の駆動による上記繰出ローラ７５の回転により、上記第１のカード収容部７０内に収容された樹脂製カードＣ１は、上記後方側カード搬送機構５５に繰り出され、該後方側カード搬送機構５５から前方側カード搬送機構２６により、上記カード挿入口１２から発行されるように構成されている。なお、この実施例に係る精算装置１においては、本発明を構成する第１のカード発行機構は、上記第１のカード収容部７０、後方側カード搬送機構５５及び前方側カード搬送機構２６から構成されている。
【００２８】
また、上記第１のカード収容部７０の下方には、第２のカード収容部８０と、この第２のカード収容部８０に並列した第３のカード収容部８１が設けられている。この第２のカード収容部８０内には、一方のつづら折れカードＰＣ１が収容され、第３のカード収容部８１には他方のつづら折れカードＰＣ２が収容されている。これら一方及び他方のつづら折れカードＰＣ１，ＰＣ２は、何れも同一であり、図４に示すように、略長方形状に成形された紙製カードＣ２が、端部の２箇所に形成された接続部Ｊ１，Ｊ２を介して連続してなるものであるとともに、上記各接続部Ｊ１，Ｊ２で折曲され各紙製カードＣ２が上下に積層された状態で上記第２のカード収容部８０又は第３のカード収容部８１にそれぞれ収容されている。なお、上記紙製カードＣ２は、本実施例に係る精算装置１においては、プリペイドカード，割引券，お釣り預かり券，レシート（領収書）又はくじによる抽選結果を表示するプレゼント券として発行されるものであり、一方の面（下面）には、利用残高情報，給油利用金額情報，給油量情報，ポイント数値情報，釣銭金額情報，釣銭預かり金額情報，割引金額情報，抽選結果情報の何れか又は選択された複数の情報が磁気記録される磁気記録層が形成され、他方の面（上面）には、これらの情報の何れかが上記サーマルヘッド３３により可視的に記録される印字記録層が形成されている。
【００２９】
そして、上記第２及び第３のカード収容部８０，８１の上方には、該第２又は第３のカード収容部８０，８１に収容された一方又は他方のつづら折れカードＰＣ１，ＰＣ２を切断し紙製カードＣ２として上記後方側カード搬送機構５５に該紙製カードＣ２を搬送する紙製カード搬送機構８４が設けられている。この紙カード搬送機構８４は、上記一方のつづら折れカードＰＣ１がガイドされる一方のガイド通路８６と、上記他方のつづら折れカードＰＣ２がガイドされる他方のガイド通路８７とを備えている。そして、上記一方のガイド通路８６の中途部には、一対の送りローラ８８，８９が配置され、その下流側には、さらに一対の送りローラ９０，９１が配置されている。また、上記他方のガイド通路８７の中途部には、一対の送りローラ９３，９４が配置されている。また、上記一対の送りローラ９０，９１の下流側には、前記後方側カード搬送機構５５を構成する小径プーリ６１に対向した案内ローラ９２が配置されている。そして、上記一対の送りローラ９０，９１と案内ローラ９２との間には、上記一方又は他方のつづら折れカードＰＣ１，ＰＣ２を上記接続部Ｊ１，Ｊ２において切断するロータリーカッター９５が配置され、このロータリーカッター９５は、カッターソレノイド９６により回転自在とされている。なお、上記一方のガイド通路８６に配置された一対の送りローラ８８，８９の配置位置よりも下方には、一方のカード取込センサ９８が取り付けられ、上記他方のガイド通路８７に配置された一対の送りローラ９３，９４の配置位置よりも下方には、他方のカード取込センサ９９が取り付けられている。また、上記一対の送りローラ９０，９１の取付位置よりも下流側には、紙切れセンサ１００が取り付けられ、この紙切れセンサ１００の近傍には、通路切替モータ１０１が取り付けられている。
【００３０】
したがって、上記第２のカード収容部８０内に収容された一方のつづら折れカードＰＣ１は、上記一対の送りローラ８８，８９の回転により、上記一方のガイド通路８６を通過して、上記一対の送りローラ９０，９１の回転により上記案内ローラ９２まで至り、この案内ローラ９２と小径プーリ６１との回転により、上記後方側カード搬送機構５５に至る。なお、このように、後方側カード搬送機構５５に至る途中において、上記ロータリーカッター９５の回転により、この一方のつづら折れカードＰＣ１は、上記接続部Ｊ１，Ｊ２において切断され、紙製カードＣ２として、上記後方側カード搬送機構５５により前方側カード搬送機構２６方向に搬送される。そして、このように第２のカード収容部８０内から一方のつづら折れカードＰＣ１の全てが搬送された場合には、そのことが上記１００紙切れセンサ１００により検出され、次いで、上記通路切替モータ１０１の駆動により、それまで上記一方のガイド通路８６から搬送されていた状態から、他方の搬送通路８７から他方のつづら折れカードＰＣ２が上記後方側カード搬送機構５５に搬送されるように切り替わる。すなわち、上記一対の送りローラ９３，９４の回転駆動が開始され、上記一対の送りローラ９０，９１の回転により、上記後方側カード搬送機構５５方向に搬送される。
【００３１】
次に、この精算装置１の前記表示部１１に表示される表示内容を詳細に説明しながら、この表示内容に基づいて行われる利用者による操作と、その操作によるこの精算装置１の動作ついて、順を追って詳細に説明する。
【００３２】
先ず、上記表示部１１には、初期画面が表示されている。この初期画面は、給油料金の支払い方法を確認するための画面であり、具体的には、「現金」，「プリカ（プリペイドカード）」及び「クレジットカード」の文字が表示され、それぞれの文字が表示された部位は、それぞれボタン（操作部）とされており、利用者が何れかを押圧することにより次ぎの画面に移行する。なお、この初期画面には、現金，プリペイドカード又はクレッジトカードと共に、既に発行された割引券及び／又はお釣り預かり券を使用する場合には、割引券及び／又はお釣り預かり券を上記カード挿入口１２から挿入することを利用者に促す表示がされる。そして、「現金」と表示された部位（ボタン）が押圧された場合には、現金の投入を待機する待機画面となり、利用者により前記硬貨投入口１４及び／又は紙幣投入口１５から硬貨及び／又は紙幣が投入されると、この待機画面には、投入された合計金額が表示され、該待機画面中に表示された「確認」ボタンを押圧することにより、利用可能金額が確定する。一方、上記「プリカ（プリペイドカード）」と表示された部位（ボタン）が押圧されると、既に購入されたプリペイドカードを挿入するか、又は、新規にプリペイドカードを購入するか否かを選択する画面に移行する。この画面は、例えば、図５に示すように、「プリカ挿入／選択」の文字１１０と、利用者が所持している発行済みのプリペイドカードを、上記カード挿入口１２から挿入する動作を示す図形１１１と、「２０，０００円」の文字１１２と、「１５，０００円」の文字１１３と、「１０，０００円」の文字１１４と、「５，０００円」の文字１１５が表示されている。なお、これら「２０，０００円」の文字１１２と、「１５，０００円」の文字１１３と、「１０，０００円」の文字１１４と、「５，０００円」の文字１１５は、利用者がプリペイドカードを新規に購入する場合における購入金額を表示するものであり、各文字１１２・・・１１５の部位が押圧されるボタン（操作部）でもある。なお、こうした画面が表示された場合には、前記ソレノイド２４が駆動し、それまで下降していたシャッター２３は上昇することにより、前記カード挿入口１２からプリペイドカード等を挿入することができるようになる。
【００３３】
このとき、上記カード挿入口１２から発行済みのプリペイドカードが挿入されると、図３に示す前記カード挿入放出センサ２５により、該プリペイドカードが挿入されたことが検出され、上記前方側カード搬送機構２６を構成する上側搬送ベルト２８と下側搬送ベルト２７との走行が開始され、上記発行済みのプリペイドカードは、さらに前記後方側カード搬送機構５５を構成する上側搬送ベルト５８と下側搬送ベルト６２との間まで搬送される。そして、このようにプリペイドカードが搬送される途中では、前記磁気ヘッド３１により、該プリペイドカードの磁気記録層に記録された利用残高情報等が読み出される。そして、この磁気ヘッド３１により読み出された利用残高情報は、図６に示すように、「プリカ現在残高」の文字１１９と共に例えば「８５円」の数字１１８として表示される。なお、この図６に示す表示画面では、上記利用残高情報としての金額を示す数字１１８や文字１１５ばかりではなく、プリペイドカードを追加購入することを前提として、図５に示す表示画面で表示された「２０，０００円」の文字１１２、「１５，０００円」の文字１１３、「１０，０００円」の文字１１４、「５，０００円」の文字１１５がそれぞれ再度表示されるとともに、「購入しない」の文字１２０も表示される。このとき、上記「２０，０００円」の文字１１２、「１５，０００円」の文字１１３、「１０，０００円」の文字１１４、「５，０００円」の文字１１５の何れかが押圧されると、該押圧された金額と上記挿入されたプリペイドカードの（元の）利用残高との合計金額が、新たな利用残高情報として記憶される。一方、上記「購入しない」の文字１２０が押圧された場合には、上記元の利用残高情報が記憶される。
【００３４】
なお、前述した初期画面において、「クレジットカード」の文字が押圧された場合（クレジットカードにより精算することが選択された場合）には、前記クレジットカードリーダー１３に所持したクレジットカードを挿通すべきことを案内する表示画面に移行し、利用者により該クレジットカードリーダー１３による読み込みが終了すると、従来と同じ良ように所定の情報処理がなされる。
【００３５】
そして、上述したように、利用者の選択に従った給油料金の精算方法が確定すると、次いで、給油する油の種類（ハイオクガソリン、レギュラーガソリン又は軽油）や、給油量が表示部１１に表示され、利用者がそれぞれを指定し、ボタン（操作部）を押圧することにより、それぞれの条件が確定する。これらの操作及びその操作に基づく情報処理の方法は従来の給油料金精算装置と同様であることから詳細な説明は省略する。そして、このように各種の条件が利用者の選択に従って確定すると、前述した給油装置２を構成する第１ないし第３の給油ノズル７，８，９のそれぞれに設けられた図示しないロック機構の何れかが解除され、給油が可能な状態となる。そして、上記第１ないし第３の給油ノズル７，８，９の何れかを使用して給油を開始すると、給油された量が、上記表示部１１又は給油装置２に設けられた図示しない表示部により表示される。そして、給油が終了し、上記第１ないし第３の給油ノズル７，８，９の何れかを上記第１ないし第３のノズルホルダー４，５，６の何れかに支持させると、予め利用者によって選択された条件にしたがった給油料金の精算がされる。以下、この給油料金の精算手順に関し、図７から図１０に示すフローチャートを参照しながら詳細に説明する。なお、以下に説明する各動作は、この精算装置１に内蔵された図示しない中央演算処理装置（ＣＰＵ）を介して動作するものである。
【００３６】
先ず、図７に示すように、ステップ１において、現金精算であるか否かが判別され、現金精算である場合には、ステップ２に進み、現金精算処理がなされる。すなわち、予め投入された現金の総額から給油料金を減算する。なお、割引券及び／又はお釣り預かり券が挿入されている場合は、この割引券及び／又はお釣り預かり券に表示された金額を給油料金から減算した後に上記現金の総額から減算する。このような精算処理が終了すると、次いで、ステップ３においては、釣銭の支払いが必要か否かが判別され、釣銭の支払いが必要であると判別された場合には、ステップ４において、釣銭（及び／又は釣札）が前記釣札放出口１６及び／又は釣銭受け皿１７から放出され、次いで、ステップ５において、釣銭又は釣札が切れたか否かが判別され、釣銭（及び／又は釣札）が切れたことが判別されると、ステップ６に進み、その後、後述するステップ２９に進む。上記ステップ６では、お釣り預かり券を発行する。このお釣り預かり券１３０は、上記一方又は他方のつづら折れカードＰＣ１，ＰＣ２から切断された紙製カードＣ２であり、図１１に示すように、表面には、釣銭預かり金額情報（釣銭として放出できなかった金額情報）を示す数字１３１以外に、発行日時１３２，有効期限１３３等が印字されているとともに、裏面に形成された図示しない磁気記録層には、上記釣銭預かり金額情報や発行日時情報、有効期限情報等が磁気記録されている。すなわち、このお釣り預かり券１３０は、上記一方又は他方のつづら折れカードＰＣ１，ＰＣ２から切断された紙製カードＣ２が上記後方側カード搬送機構５５から前方側カード搬送機構２６を通過して、上記カード挿入口１２から発行される際に、表面には、該前方側カード搬送機構２６中に配置されたサーマル（印字）ヘッド３３により可視的に上記釣銭預かり金額情報を示す数字１３１や発行日時１３２，有効期限１３３等が印字され、また、裏面には、上記釣銭預かり金額情報や発行日時に関する情報，有効期限に関する情報等が磁気記録される。
【００３７】
一方、上記ステップ１において、現金精算ではないと判別された場合には、ステップ７において、プリペイドカードによる精算であるか否かが判別される。そして、プリペイドカードによる精算であると判別された場合には、ステップ８において、プリペイドカードを購入したか否かが判別され、さらにステップ９において、その購入されたプリペイドカードは新規購入であったか否かが判別される。このステップ９において、購入されたプリペイドカードが新規購入である場合には、ステップ１０において、残高計算とポイント計算がなされる。すなわち、このステップ１０では、新規に購入されたプリペイドカードの購入金額から給油料金を減算するものである。なお、事前に割引券及び／又はお釣り預かり券が上記カード挿入口１２から挿入されている場合には、上記給油料金から割引金額及び／又は釣銭預かり金額を減算した後に、上記プリペイドカードの購入金額から減算し残高（利用可能残高）を算出する。なお、このステップ１０においては、上記残高の算出とともに、新規購入した購入金額に応じてポイント（有価価値情報）を決定し、このポイント数値を算出する。そして、こうした情報処理がステップ１０においてなされると、ステップ１１に進み、このステップ１１においては、新規購入されたプリペイドカードの購入金額又は残高（給油料金の精算後における残高）が一定額以上であるか否かが判別される。例えば、新規購入されたプリペイドカードの購入金額が２０，０００円以上である場合や、或いは、最終的な残高が１０，０００円以上であるか否かが判別され、この条件を満たす場合には、ステップ１２に進み、樹脂製プリペイドカード１４０（Ｃ１）が発行され、後述するステップ２９に進む。この樹脂製プリペイドカード１４０（Ｃ１）は、図２に示す第１のカード収容部７０内に収容されたもの（リライトカード）であって、図１２に示すように、表面には、カード番号１４１，発行日付１４２，新規購入金額１４３，利用可能残高１４４，給油金額１４５，差引き後の利用可能残高１４６，ポイント（有価価値情報）１４７等がそれぞれ印字され、裏面には、これらの情報が磁気記録されている。すなわち、この樹脂製プリペイドカード１４０（Ｃ１）は、前記繰出モータ７７の駆動により、上記第１のカード収容部７０の最も下側から、上記後方側カード搬送機構５５に繰り出され、この後方側カード搬送機構５５から前方側カード搬送機構２６を通過して、上記カード挿入口１２から発行される際に、表面には、該前方側カード搬送機構２６中に配置されたサーマル（印字）ヘッド３３により可視的に上記新規購入金額１４３や利用可能残高１４４等が印字され、また、裏面には、上記磁気ヘッド３１により上記新規購入金額情報や利用可能残高情報等が磁気記録される。
【００３８】
一方、上記ステップ８において、プリペイドカードを購入しなかった場合、すなわち、既に発行済みのプリペイドカードが上記カード挿入口１２から挿入された場合（且つ、利用可能残高が少ないために、プリペイドカードを追加購入しなかった場合）には、ステップ１３において、残高計算とポイント計算がされ、後述するステップ１８に進む。なお、このステップ１３における処理は、前記ステップ１０と同じである。また、上記ステップ９において、プリペイドカードの新規購入がなされず、追加購入がされた場合には、ステップ１４に進み、残高計算とポイント計算がされる。なお、このステップ１４における残高計算においては、（次回の）利用可能残高は、既に発行されたプリペイドカードに記録された利用可能残高と追加購入したプリペイドカードの利用可能残高との合計金額（総額）から、給油利用金額を減算することにより算出する。なお、この場合、既に発行されたプリペイドカード以外に、割引券及び／又はお釣り預かり券がカード挿入口１２から挿入されている場合には、この割引券及び／又はお釣り預かり券に表示された金額を給油料金から減算した後に上記総額から減算する。また、ポイント計算においては、既に発行されたプリペイドカードに印字及び磁気記録されたポイントと今回追加購入したプリペイドカードに付与されるポイントを加算して算出する。このような算出が終了すると、ステップ１５において、上記算出されたポイントが所定の数値以上の数値となったか否か（還元ポイントに達したか否か）が判別され、所定以上の数値であると判別された場合には、ステップ１６に進み、所定以上の数値でない場合には、ステップ１７に進む。ステップ１６においては、前記ステップ１４において算出された利用可能残高から、さらに上記還元ポイントに対応する還元金額を加算し、最終的な利用可能残高を算出する。また、この場合には、上記ステップ１４において算出されたポイントの数値から、上記還元ポイントを減算し、最終ポイントを算出する。
【００３９】
そして、上記ステップ１６での情報処理が終了し、又は、ステップ１５において購入累計ポイントが上記還元ポイントに達していないと判別された場合には、ステップ１７に進む。このステップ１７においては、挿入された発行済みのプリペイドカードが紙製プリペイドカードであり、且つ、追加購入されたプリペイドカードの購入金額又は最終的な利用可能残高が所定の残高以上であるか否かが判別される。このステップ１７において、上記条件を満たす場合には、ステップ１９に進む。このステップ１９においては、それまで後方側カード搬送機構５５において一時保留されていた紙製プリペイドカードＣ２は、上記前方側カード搬送機構２６側に搬送され、それまで磁気記録されていた利用可能残高情報やポイント情報は上記磁気ヘッド３１により消去され、こうした消去が完了すると、それまで下方に逃げていた上記回動フラッパー５０は、上記ソレノイド５１の駆動により回動される。そして、再び上記前方側カード搬送機構２６と上記回収カード搬送機構４１により、上記紙製プリペイドカードＣ２は、上記カード回収ボックス４０に回収される。また、上記ステップ１７において、上記条件を満たさないと判別された場合や発行済みのプリペイドカードＣ１のみより給油料金が精算される場合には、ステップ１８において、挿入されたプリペイドカードが、樹脂製プリペイドカードＣ１であるか否かが判別される。樹脂製プリペイドカードである場合には、ステップ２０に進み、この樹脂製プリペイドカードの利用可能残高が０円であるか否かが判別され、さらにステップ２１において、その樹脂製プリペイドカードに追加して印字する空き行（空きスペース）が存在するか否かが判別される。ステップ２１において、空きスペースがないと判別された場合には、ステップ２２において、それまで後方側カード搬送機構５５中に一時保留されていた樹脂製プリペイドカードは、上記前方側カード搬送機構２６に戻されるとともに、上記消去ヘッド３４により、それまで印字されていた利用可能残高や日付等が全て消去され、再び上記後方側カード搬送機構５５内に戻され、ステップ２３に進む。このステップ２３においては、上記後方側カード搬送機構５５内で保留されていた樹脂製プリペイドカードは、再び上記前方側カード搬送機構２６に搬送され、上記サーマル（印字）ヘッド３３により、上記ステップ１４又はステップ１６において算出された利用可能残高やポイント等が印字されるとともに、上記磁気ヘッド３１により利用可能残高情報やポイント情報等が磁気記録される。
【００４０】
また、上記ステップ１８において、樹脂製プリペイドカードではなく、紙製プリペイドカードが挿入されていたと判別された場合には、ステップ２４に進む。このステップ２４においては、前記ステップ２１と同じように、その紙製プリペイドカードに印字スペースがあるか否かが判別され、印字スペースがある場合には、上記ステップ２３に進む。一方、印字スペースが無い場合には、ステップ２５に進み、それまで上記後方側カード搬送機構５５内に保留されていた紙製プリペイドカードは、前方側カード搬送機構２６に搬送され、上記磁気ヘッド３１により、それまで磁気記録されていた利用残高情報やポイント情報等の情報の全てが消去されるとともに、廃棄処理を意味する情報を該磁気ヘッド３１により磁気記録された後に、前述した要領で上記回収ボックス４０に回収され、ステップ２６に進み、その後、後述するステップ２９に進む。このステップ２６では、紙製プリペイドカードが発行される。この紙製プリペイドカードは、前記第２のカード収容部８０又は第３のカード収容部８１内に収容された一方又は他方のつづら折れカードＰＣ１，ＰＣ２から切断された紙製プリペイドカードであり、ステップ２５における情報処理を経た場合には、給油の日付，給油利用金額，利用残高，ポイント等を上記サーマルヘッド３３により印字されるとともに、これらの情報が上記磁気ヘッド３１により磁気記録された後に上記カード挿入口１２から発行される。また、このステップ２６における情報処理は、前記ステップ１１において、新規購入されたプリペイドカードの購入金額又は利用可能残高が所定の金額に満たない場合においてもなされるものであり、同じように、上記給油の日付，給油利用金額，利用残高，ポイント等が上記サーマルヘッド３３により印字されるとともに、これらの情報が上記磁気ヘッド３１により磁気記録された後に上記カード挿入口１２から、紙製プリペイドカードとして発行される。
【００４１】
また、上記ステップ７において、プリペイドカードによる精算ではないと判別された場合には、ステップ２７において、クレジット精算処理がなされ、ステップ２８において、クレジット精算引き落とし金額がＰＯＳ（Ｐｏｉｎｔ  ｏｆ  Ｓａｌｅｓ）システムに送信され、ステップ２９に進む。このステップ２９においては、領収書（レシート）１５０が発行される。この領収書１５０は、紙製の前記一方又は他方のつづら折れカードＰＣ１，ＰＣ２から切断されたものであって、図１３に示すように、領収書の文字１５１，給油の日時１５２，給油された油の種類１５３，給油量１５４，給油金額１５５，税金額１５６，１５７，合計金額１５８等が前記サーマルヘッド３３により印字されたものである。なお、プリペイドカードにより精算された場合には、プリペイドカードの購入金額又は利用可能残高から減算された（引き落とされた）金額１５９及び精算後の利用可能残高１６０も印字される。
【００４２】
また、上記ステップ２９での処理が終了すると、次いで、ステップ３０に進み、このステップ３０では、現金精算であってサービス期間中か否かが判別される。すなわち、ステップ１において現金精算であると判別され、且つ、給油精算の日付がサービス期間中であるか否かが判別され、これらの条件を満たすと判別された場合には、ステップ３１に進む。このステップ３１では、現金による給油金額が所定の金額以上（例えば、１，０００円以上）であるか否かが判別され、この条件を満たす場合には、ステップ３２に進む。このステップ３２では、割引券１６１が発行される。この割引券１６１も、上記領収書１５０と同じように、紙製の前記一方又は他方のつづら折れカードＰＣ１，ＰＣ２から切断されたものであって、図１４に示すように、表面には、割引券の文字１６２，発行日時１６３，有効期限１６４，割引額１６５，使用開始可能時期を示す文字１６６等が、上記サーマルヘッド３３により印字され、裏面には、上記割引券として認識可能な情報や発行日時，有効期限，割引額等に関する情報が上記磁気ヘッド３１により磁気記録されている。また、上記ステップ３２による処理が終了すると、ステップ３３に進む。このステップ３３では、当たりくじサービス期間中であるか否かが判別され、サービス期間中ではないと判別された場合には、メイン処理ルーチンに戻る（初期画面の表示）。一方、ステップ３３において、上記サービス期間中であると判別された場合には、ステップ３４に進み、給油料金が所定の金額以上（例えば、３，０００円以上）であるか否かが判別され、その条件を満たさない場合には、メイン処理ルーチンに戻り（初期画面の表示）、満たす場合には、ステップ３５において、抽選結果が上記表示部１１に表示され、ステップ３６に進む。このステップ３６においては、上記抽選結果が当たりであるか否かが判別され、当たりである場合には、ステップ３７に進み、外れである場合には、メイン処理ルーチンに戻る（初期画面の表示）。ステップ３７においては、プレゼント券（有価値情報券）１７０が発行され、メイン処理ルーチンに戻る（初期画面の表示）。このプレゼント券１７０は、上記領収書１４０と同じように、紙製の前記一方又は他方のつづら折れカードＰＣ１，ＰＣ２から切断されたものであって、図１５に示すように、表面には、プレゼント券の文字１７１，発行日時１７２，有効期間１７３，プレゼント内容を示す文字１７５等が、上記サーマルヘッド３３により印字されている。
【００４３】
このように、この実施例に係る券処理ユニットが内蔵された精算装置１によれば、第１のカード収容部７０又は上記第２のカード収容部８０（若しくは第３のカード収容部８１）の何れかから選択的に排出された上記樹脂製カード（プリペイドカード）又は紙製カードは、それぞれ共通した後方側カード搬送機構５５及び前方側カード搬送機構２６により、上記カード挿入口１２（カード発行部）まで搬送されることから、単に、樹脂製カード（プリペイドカード）と紙製カードとを発行することができるばかりではなく、精算装置１の小型化を有効に達成するこができ、また、該精算装置１の設置面積を少なくすることができるとともに、低コスト化に十分貢献することができる。特に、上記精算装置１に内蔵された券処理ユニットでは、プリペイドカードとしては、樹脂製プリペイドカードと紙製プリペイドカードとが発行され、利用者が選択したプリペイドカードの購入金額又は給油料金精算後における利用可能残高が所定の金額又は残高以上である場合には、自動的に樹脂製プリペイドカードが発行され、該金額又は残高に満たない場合には、紙製プリペイドカードが発行されることから、樹脂製プリペイドカードの発行量を抑制することができ、給油施設側のランニングコストを有効に低減することができる。
【００４４】
なお、上記実施例では、本発明に係る券処理ユニットを給油料金精算装置１に適用したものを説明し、この給油料金精算装置１は、プリペイドカード（樹脂製カード又は紙製カード）を上述した選択基準により選択的に発行する機能に加えて、発行済みのプリペイドカード（樹脂製カード又は紙製カード）が挿入されることによりなされる精算処理機能を有するが、本発明に係る券処理ユニット（請求項１記載の発明）は、第１のカード収容部に収容された樹脂製カード又は第２のカード収容部に収容された紙製カードの何れかが選択的発行され、それらが共通した搬送機構によりカード発行部に搬送されるものであれば、必ずしも発行済みのカードが挿入可能とされている必要は無い。すなわち、本発明に係る券処理ユニットは、上述した給油料近精算装置１を利用して給油料金の精算を行う際に使用されるプリペイドカードの販売機（発券機）に内蔵され、例えば、その販売機で購入される金額の多寡により、樹脂製カード（樹脂製プリペイドカード）又は紙製カード（紙製プリペイドカード）が選択的に発行されるものであっても良い。
【００４５】
またさらに、上述した券処理ユニットが内蔵された給油料金精算装置１は、文字通り精算装置であって、給油料金を精算する際に使用される装置であるが、本発明に係る券処理ユニットは、何らかの料金を精算する際に使用されるカードを発行する発行装置や、こうした発行装置で発行されたカードを使用する（上記給油料金精算装置１のような）精算装置ばかりに適用されるものではなく、例えば、駐車場施設で使用される定期券や他の施設への入場の際に身分証明書等として使用される各種のカードを販売する発券機や、この発券機により発行されたカードが挿入されると同時に発券機能を備えた処理装置に適用されるものであっても良い。
【実施例２】
【００４６】
次に、本発明の第２の実施例に付いて、図面を参照しながら詳細に説明する。この第２の実施例は、本発明を、無人有料駐車場システムに設置される駐車料金精算装置に適用したものである。そこで、以下、無人有料駐車場システムの全体的構成を説明しながら、駐車料金精算装置について詳細に説明する。なお、以下に説明する無人有料駐車場は、（自転車ではなく）自動車を駐車する無人有料駐車場であるとともに、入庫の際に駐車カードが発行されるタイプの駐車場であり、以下に説明する駐車料金精算装置は、本発明を、こうしたタイプの駐車場に設置されるものに適用したものである。
【００４７】
この無人有料駐車場システムは、図１６に示すように、車両が入庫する際に通過する入口ゲート２０１と、この入口ゲート２０１の隣に設けられ車両が出庫する際に通過する出口ゲート２０２とを有している。上記入口ゲート２０１には、駐車カード発行装置２０３が設置され、この駐車カード発行装置２０３の隣には一方の開閉バー２０４が設けられ、さらに、この一方の開閉バー２０４の先端の先端側には、該一方の開閉バー２０４の先端側を支持する一方のバーキャッチャー２０５が設置されている。上記駐車カード発行装置２０３は、図１７に示すように、後述する駐車料金精算装置２３０に電気的に接続されてなるものであり、発券ボタン２０６と、この発券ボタン２０６の押圧操作により内部から駐車カードの先端側が外部に露出する発券口２０７と、この発券口２０７の上方に形成された表示部２０８とを備えている。上記表示部２０８は、例えば、時刻表示，満車・空車情報等が表示される部位である。なお、この駐車カード発行装置２０３には、上記発券ボタン２０６の押圧操作により駆動する図示しない発券機構，上記表示部２０８，後述する他の機器にそれぞれ電気的にも接続されており、ＲＯＭ，ＲＡＭ等の記憶部に接続された中央演算処理装置（ＣＰＵ）が内蔵されている。そして、上記発券機構は、図示しない駐車カード用のカードが多数枚収容されている収容部や、この収容部から繰り出されたカードに、入庫日時，入庫番号等を可視的に記録及び／又は非可視的（磁気的）に記録する記録部を備えている。すなわち、この駐車カードには、上記入庫日時，入庫番号等の情報が可視的に記録される部位と、これらの情報が非可視的（磁気的）に記録される記録部をそれぞれ備えている。なお、以下、上記非可視的（磁気的）に記録された入庫日時，入庫番号等の情報を、非可視情報という。
【００４８】
また、上記一方の開閉バー２０４は、図１６に示すように、上記駐車カード発行装置２０３に電気的に接続された駆動部２０４ａにより水平状態から垂直状態までの約９０度の範囲に亘って回動するよう構成されてなるものである。また、この一方の開閉バー２０４を挟んで手前側には、車両の通過を検出する第１の車両検出部２０９が地面（又は床下）に埋設されており、前方側には、同じく車両の通過を検出する第２の車両検出部２１０が地面（又は床下）に埋設されている。これら第１及び第２の車両検出部２０９，２１０は、図１７に示すように、それぞれ上記駐車カード発行装置２０３を介して上記一方の開閉バー２０４に電気的に接続されている。したがって、上記第１の車両検出部２０９により入庫する車両の通過が検出されると、上記駐車カード発行装置２０３を構成する表示部２０８に操作情報が表示され、ドライバーが該駐車カード発行装置２０３に設けられた発券ボタン２０６を押圧操作すると、上記発券口２０７から駐車カードが発行される。なお、後述するように、この駐車カード発行装置２０３から発行され且つ上記第２の車両検出部２１０を通過した数から駐車料金の精算が完了した数を減じた数が、駐車スペースの数と同じである場合には、たとえ上記発券ボタン２０６が押圧操作されても、上記駐車カードは発行されない。そして、発行された駐車カードが発券口２０７から利用者（ドライバー）により抜き取られると、それまで上記一方のバーキャッチャー２０５に先端側が支持され水平状態とされていた上記一方の開閉バー２０４は、上記駆動部の駆動により垂直状態となされ、この結果、車両は直進することが可能となる。そして、このように車両が直進し、上記第１の車両検出部２０９上から車両が移動し、上記第２の車両検出部２１０により車両の通過が検出されると、それまで垂直状態とされていた上記一方の開閉バー２０４は、図示しない上記駆動部が駆動し再び元の状態（水平状態）に復帰する。
【００４９】
また、上記出口ゲート２０２には、図１６に示すように、出庫操作装置２１５が設置され、この出庫操作装置２１５の隣には他方の開閉バー２１６が設けられ、この他方の開閉バー２１６の先端側には、該他方の開閉バー２１６の先端側を支持する他方のバーキャッチャー１７が設置されている。上記出庫操作装置１５は、上記駐車カード発行装置２０３に電気的に接続されている。なお、この出庫操作装置２１５は、後述する駐車料金精算装置２３０のように、駐車料金を精算する機能を備えたものであっても良い。そして、この出庫操作装置２１５には、図１９に示すように、カード挿入口２１８が設けられている。このカード挿入口２１８は、上記駐車カード発行装置２０３により発行されるとともに後に詳細に説明する駐車料金精算装置２３０により精算処理がなされた駐車カード又は該駐車料金精算装置２３０により発行された定期カードが挿入される部位であるとともに、さらに後述するように上記駐車カードがレシート（領収書）として利用者に返却されるべき場合には、再び該駐車カードの先端側を内側から露出させる（返却する）部位である。なお、このカード挿入口２１８は、該カード挿入口２１８から定期カード，後述するフリーパスカードが挿入された場合には、これら定期カード等も返却される部位である。また、この出庫操作装置２１５には、上記カード挿入口２１８の上方に、表示部２２０が設けられている。この表示部２２０は、例えば、操作方法に関する情報，保安上のメッセージ情報等が表示される部位である。なお、この出庫操作装置２１５には、上記駐車カードや定期カード等を内部に取り込み、排出する図示しない搬送機構ばかりではなく、上記カード挿入口２１８から挿入された駐車カードに可視的又は非可視的に記録された入庫日時や、後述する駐車カードがレシートとして返却されるべき情報、さらに上記カード挿入口２１８から挿入された定期カードに記録された利用期限情報等を読み出す読出し部や記録部がそれぞれ内蔵されている。また、この出庫操作装置２１５には、ＲＯＭ，ＲＡＭ等の記憶部に接続された図示しない中央演算処理措置（ＣＰＵ）が内蔵され、上記表示部２２０，図示しない搬送機構，読出し部は、この中央演算処理装置（ＣＰＵ）に接続されている。
【００５０】
また、上記他方の開閉バー２１６は、図１６に示すように、上記出庫操作装置２１５に電気的に接続された駆動部２１６ａにより水平状態から垂直状態までの約９０度の範囲に亘って回動するよう構成されてなるものである。また、この他方の開閉バー２１６を挟んで、該他方の開閉バー２１６の手前には、図１６に示すように、車両の通過を検出する第３の車両検出部２２３が地面（又は床下）に埋設され、前方には、同じく車両の通過を検出する第４の車両検出部２２４が地面（又は床下）に埋設されている。これら第３及び第４の車両検出部２２３，２２４は、図１７に示すように、上記出庫操作装置２１５を介して上記他方の開閉バー２１６に電気的に接続されている。したがって、この第３の車両検出部２２３により出庫する車両の通過が検出されると、上記表示部２２０に操作情報等が表示され、また、ドライバーにより上記カード挿入口２１８から駐車カード，定期カード（後述するフリーパスカードも含む。）が挿入されると、これらの駐車カード等は、上記図示しない搬送機構の駆動により該出庫操作装置２１５の内部に搬送される。このように、駐車カード等が内部に搬送されると、図示しない上記読出し部により、該駐車カードに記録された入庫日時等、或いは、定期カード等に記録された利用期限情報等が読み出され、上記図示しない中央演算処理（ＣＰＵ）による所定の演算処理がなさる。この結果、上記駐車カードが、レシート（領収書）として返却される場合には、上記カード挿入口２１８から上記搬送機構の駆動により内部に搬送された後、再び該搬送機構の駆動により、レシートとしての駐車カードの先端が外部に露出される。また、上記定期カードやフリーパスカードが、上記カード挿入口２１８から挿入された場合には、上記搬送機構の駆動により内部に搬送され、上記読出し部により利用期限情報等の読出しが完了し、上記中央演算処理（ＣＰＵ）により所定の演算処理が完了すると、再び該搬送機構の駆動により、上記定期カード等の先端が外部に露出される。
【００５１】
そして、上記レシートとして返却された駐車カード又は定期カード等が、利用者により抜き取られると（又は、駐車カードがレシートとして返却されない場合には、該駐車カードが挿入され精算済みの判定がなされると）、それまで上記他方のバーキャッチャー２１７に先端側が支持され水平状態とされていた上記他方の開閉バー２１６は、上記駆動部の駆動により垂直状態となされ、この結果、車両は直進することが可能となる。そして、このように車両が直進し、上記第３の車両検出部２２３上から車両が移動し、上記第４の車両検出部２２４により車両の通過が検出される（出庫処理が完了される）と、それまで垂直状態とされていた上記一他方の開閉バー２１６は、図示しない上記駆動部が再び駆動し元の状態（水平状態）に復帰する。
【００５２】
また、この無人有料駐車場システムでは、無人有料駐車場の敷地内であって、上記出口ゲート２の前方（出庫方向）の左側には、図１６に示すように、表示装置２２６が設置され、この表示装置２２６は、図１７に示すように、回転ランプ２２７と、空車状況を知らせる表示ランプ２２８とから構成され、上記回転ランプ２２７は、上記出庫操作装置２１５に電気的に接続され、上記表示ランプ２２８は、上記駐車カード発行装置２０３に電気的に接続されている。なお、上記表示ランプ２２８は、満車を表示する図示しない「満」及び空車を表示する「空」の文字がそれぞれ表示され、駐車カード発行装置２０３から発行され且つ上記第２の車両検出部２１０を通過した数から駐車料金の精算が完了した数を減じた数が、駐車スペースの数に満たない場合には、上記「空」の文字が点灯し、上記数が駐車スペースの数に達した場合には、「満」の文字が点灯するように構成されている。また、このように、表示ランプ２２８により「満」の文字が点灯した場合には、上記駐車カード発行装置３による駐車カードの発行は中止される。また、この無人有料駐車場システムにおいては、上記回転ランプ２２７は、上記出庫操作装置２１５により上述した出庫処理が完了されると駆動を開始し、第三者の注意が促されるように構成されている。なお、上記表示装置２２６の近傍には、一次電源装置２２９が設置されている。
【００５３】
そして、上記一次電源装置２２９の近傍には、図１６に示すように、本実施例に係る駐車料金精算装置２３０が設置されている。この駐車料金精算装置２３０は、図１７に示すように、上記駐車カード発行装置２０３に電気的に接続され、また、該駐車カード発行装置２０３を介して上記出庫操作装置２１５に電気的に接続されている。そして、この駐車料金精算装置２３０は、図２０に示すように、正面には、上記駐車カード発行装置２０３により発行された駐車カード，定期カード，プリペイドカード又は回数券，サービス券が挿入されるカード挿入口２３１が形成されている。なお、このカード挿入口２３１は、上記駐車カード，定期カード，プリペイドカード又は回数券，サービス券（及び後述するフリーパスカード，小額プリペイドカード）が挿入される部位であるとともに、後述するように、この駐車料金精算装置２３０により発行される定期カード，プリペイドカード又は後述する使い捨てカードとしてのフリーパスカード若しくは小額プリペイドカードやレシートとしての使い捨てカードが排出される排出口でもあり、本発明を構成するカード発行部である。
【００５４】
また、この駐車料金精算装置２３０には、上記カード挿入口２３１の下方に、駐車料金を精算する際に硬貨を投入する硬貨投入口２３２が形成され、さらに、この硬貨投入口２３２の下方には、紙幣投入口２３３が形成されている。また、上記紙幣投入口２３３の下方には、つり札が排出されるつり札排出口２３４が形成され、このつり札排出口２３４の隣には、つり銭が排出されるつり銭排出口２３５が形成されている。また、このつり銭排出口２３５のやや上方には、レシートボタン２３６が設けられ、このレシートボタン２３６が押圧操作されると、後述する動作を経てレシート（又はレシートとしての駐車カード）が上記カード挿入口２３１から排出される。また、上記カード挿入口２３１の上方には、表示部２３８が設けられ、この表示部２３８の下方には、第１乃至第１０の操作ボタン２３９・・・２４８が形成され、さらにこれら第１乃至第１０の操作ボタン２３９・・・２４８の隣には、カード購入／更新ボタン２４９，確認ボタン２５０及び訂正ボタン２５１が形成されている。そして、上記第１乃至第１０の操作ボタン２３９・・・２４８には、それぞれ「１」・・・「１０」の番号（符号は省略する。）が表示されている。なお、この駐車料金精算装置２３０は、箱状に成形され正面は開放された装置本体（符号は省略する。）と、この装置本体の正面を開閉する開閉扉（符号は省略する。）と、を備え、上述したこの駐車料金精算装置２３０の正面に形成された各構成要素は、上記開閉扉の正面に設けられている。
【００５５】
そして、上記駐車料金精算装置２３０を構成する上記装置本体内には、図２１又は図２２に示すように、上記カード挿入口２３１の後方にカード処理装置２５３が形成され、このカード処理装置２５３の後方上部には、後述するリライトカード（樹脂製カード）を収容する第１のカード収容部２５４が設けられている。そして、上記カード処理装置２５３内やその近傍には、上記カード挿入口２３１から挿入された駐車カード，定期カード，プリペイドカード又は回数券，サービス券，後述するフリーパスカード又は小額プリペイドカードを内部に搬送し、また内部に搬送された上記駐車カード，定期カード等を上記カード挿入口２３１方向に搬送するとともに、上記第１のカード収容部２５４内に収容されたリライトカード（又は、後述するように、レシートとして利用者に返却される駐車カード）を該カード挿入口２３１内に搬送する第１の搬送機構が設けられている。また、上記第１の収容部２５４内に多数枚収容された上記リライトカードは、ポリエチレンテレフタレート等からなる樹脂製の基材の表面には、所定の温度となるように加温させることにより、印字・消去されるロイコ染料が塗布された印字記録層が形成され、裏面には、磁気記録層が形成されてなるものである。そして、上記カード処理装置２５３には、図２１に示すように、該カード処理装置２５３内において、上記リライトカードの表面に、後述する定期カードの利用期限情報又はプリペイドカードの利用可能残高情報を可視的に記録するサーマルヘッド２５７が設けられ、またこのサーマルヘッド（本発明を構成する印字ヘッド）２５７の近傍には、既に可視的に記録された上記利用期限情報又は利用可能残高情報を消去する消去ヘッド２５８が配設されている。そして、このサーマルヘッド２５７及び消去ヘッド２５８は、上記第１の搬送機構により搬送される定期カード等の搬送ルートの中途部に配設されている。また、このカード処理装置２５３内であって、上記サーマルヘッド２５７の配設位置よりも手前側（駐車料金精算装置２３０の正面側）中途部の下方には、上記駐車カードや後述する定期カード，フリーパスカード，プリペイドカード，小額プリペイドカード，回数券，サービス券に記録された非可視情報（磁気記録情報）を読み出すとともに、該定期カード又はプリペイドカード等に非可視情報を記録する（書込む）磁気ヘッド（読出し及び書込み用磁気ヘッド）２６０が配設されている。
【００５６】
また、上記カード処理装置２５３の下方には、図２１及び図２２に示すように、回収ボックス２６１が設けられ、この回収ボックス２６１の斜め上方には、上記カード挿入口２３１から挿入され上記第１の搬送機構を介して上記カード処理装置２５３の後方に搬送された駐車カード，回数券又はサービス券を、該回収ボックス２６１内に搬送する図示しない第２の搬送機構が設けられている。また、この駐車料金精算装置２３０は、上記図示しない第１の搬送機構と、この第２の搬送機構との間には、図示しない切替フラッパーが設けられ、この切替フラッパーの駆動により、上記第１の搬送機構により搬送された駐車カードや回数券又はサービス券を上記第２の搬送機構に導くように構成されている。
【００５７】
また、上記第１のカード収容部２５４の下方には、図２１に示すように、第２のカード収容部２６４と、この第２のカード収容部２６４に並列した第３のカード収容部２６５が設けられている。これら第２及び第３のカード収容部２６４，２６５は、それぞれ本発明を構成する他のカード収容部である。そして、この第２のカード収容部２６４内には、一方のつづら折れカード２６６が収容され、第３のカード収容部２６５には他方のつづら折れカード２６６が収容されている。これら一方及び他方のつづら折れカード２６６は、図２３に示すように、略長方形状に成形された紙製の使い捨てカード２６７が、端部の２箇所に形成された接続部２６６ａ，２６６ａを介して連続してなるものであり、これら一方及び他方のつづら折れカード２６６は、上記各接続部２６６ａ，６６ａで折曲され各使い捨てカード２６７が上下に積層された状態で上記第２のカード収容部２６４又は第３のカード収容部２６５にそれぞれ収容されている。なお、上記各使い捨てカード２６７は、主要な素材が紙となされた紙製カードであり、表面が、上記サーマルヘッド２５７により利用期限情報や利用可能残高情報，利用金額情報等の可視情報が記録される部位となされ、裏面には、上記利用期限情報，清算金額，精算日時等の非可視情報が磁気記録される図示しない磁気記録層が形成されている。
【００５８】
そして、上記第２及び第３のカード収容部２６４，２６５の上方には、これら一方又は他方のつづら折れカード２６６（使い捨てカード２６７）を、上記図示しない第１の搬送機構に搬送する図示しない第３の搬送機構が設けられ、この第３の搬送機構の中途部には、図２１に示すように、上記一方又は他方のつづら折れカード２６６の各接続部２６６ａ，２６６ａの形成位置において切断するカッター２６９が設けられている。なお、この駐車料金精算装置２３０においては、上記第３の搬送機構の上流側（上記第２及び第３のカード収容部２６４，２６５側）には、上記第２のカード収容部２６４内に収容された一方のつづら折れカード２６６と上記第３のカード収容部２６５内に収容された他方のつづれ折れカード２６６との何れかを択一的に上記第３の搬送機構に導く図示しないクラッチが配設されている。そして、このクラッチは、後述するセンサにより、上記第２のカード収容部２６４又は第３のカード収容部２６５から搬送されていた一方のつづら折れカード２６６が全て搬送されたことが検出されることにより動作するものであり、この駐車料金精算装置２３０においては、以後は、上記第３のカード収容部２６５内又は第２のカード収容部２６４内に収容された他方のつづら折れカード２６６又は一方のつづら折れカード２６６が上記第３の搬送機構を介して搬送されるように構成されている。
【００５９】
そして、上記駐車料金精算装置２３０を構成する表示部２３８，第１乃至第１０の操作ボタン２３９・・・２４８，カード購入／更新ボタン２４９，確認ボタン２５０，訂正ボタン２５１，図示しない第１乃至第３の搬送機構，上記サーマルヘッド２５７，上記磁気ヘッド２６０等は、図示しない中央演算処理装置（ＣＰＵ）に電気的に接続されてなるとともに、上記カード発行機構の構成要素や、上述した第２の搬送機構，上記カッター２６９，クラッチ，第３の搬送機構等は、以下に説明する各センサを介して動作する。図２４は、上記各センサの配設位置を示すものであり、上記カード挿入口２３１内には、該カード挿入口２３１内に、上記駐車カード，定期カード，プリペイドカード（小額プリペイドカードを含む），フリーパスカード，サービス券，回数券等が挿入された否かを検出する第１のセンサ２７０が配設され、この第１のセンサ２７０の後方には、後述するように、一旦上記カード挿入口２３１から挿入された駐車カードがレシートとして返却された際、更新された定期カード又は更新されたプリペイドカードが返却された際、または上記一方又は他方のつづら折れカード２６６がレシートとして返却された際に、該各駐車カード（レシート），更新された定期カード又はプリペイドカード等の存在を検出する第２のセンサ２７１が配設されている。なお、この駐車料金精算装置２３０においては、上記第１のセンサ２７０は、上記カード挿入口２３１における上記各カード（符号は省略する。）の挿入方向又は排出方向に、図示しない一方の検出部と他方の検出部とが並んで配設されてなるものであり、各カードが何れの方向から通過したかが検出できるように構成されている。また、上記磁気ヘッド２６０の後方には、第３のセンサ２７２が配設されている。この第３のセンサ２７２は、上記磁気ヘッド２６０の駆動が開始される条件の一つとなるセンサであり、該磁気ヘッド２６０により非可視情報が記録される上記定期カード，プリペイドカード又は使い捨てカード２６７の存在を検出するものである。また、この第３のセンサ２７２の近傍には、第４のセンサ２７３が形成されている。この第４のセンサ２７３は、上記第１の搬送機構により上記第１のカード収容部２５４から搬送された上記定期カード又はプリペイドカードとなるリライトカードや、更新される定期カード又は更新されるプリペイドカードが該第４のセンサ２７３の配設位置まで到達したか否かを検出するものであり、この第４のセンサ２７３により上記リライトカード等の存在が検出されると、上記サーマルヘッド２５７の駆動が開始され、該リライトカード等に利用期限情報又は利用可能金額情報が記録される。
【００６０】
また、上記第４のセンサ２７３の配設位置よりも後方であって、上記カード処理装置２５３の後方には、第５のセンサ２７４が配設されている。この第５のセンサ２７４は、上記カード挿入口２３１から挿入された駐車カード，更新される定期カード又は更新されるプリペイドカードが、一旦上記第１の搬送機構により上記カード処理装置２５３の後方に搬送されたこと検出するものである。また、上記サーマルヘッド２５７の配設位置よりもカード挿入口２３１側には、該サーマルヘッド２５７をセットする第６のセンサ２７５が配設されている。また、サーマルヘッド２５７の近傍には、第７のセンサ２７６が配設され、この第７のセンサ２７６は、上記サーマルヘッド２５７と消去ヘッド２５８が上昇状態にあることを検出するものである。また、上記消去ヘッド２５８の近傍には、第８のセンサ２７７が配設されている。この第８のセンサ２７７は、上記サーマルヘッド２５７と消去ヘッド２５８が下降状態にあることを検出するものである。そして、上記第５のセンサ２７４よりもさらに後方には、第９のセンサ２７８が配設され、この第９のセンサ２７８は、上記図示しない第１の搬送機構により、上記第１のカード収容部２５４の下方に搬送された（駐車カード，更新される定期カード又は更新されるプリペイドカードが一時プールされた）ことを検出するものである。
【００６１】
また、上記第１のカード収容部２５４の近傍であって、上記図示しない第１の搬送機構の上流側には、第１０のセンサ２７９が配設されている。この第１０のセンサ２７９は、上記第１のカード収容部２５４からリライトカードが放出されたことを検出するものである。また、上記図示しない第３の搬送機構の中途部に設けられたカッター２６９の近傍には、第１１のセンサ２８０が配設されている。この第１１のセンサ２８０は、上記カッター２６９の駆動により上記一方又は他方のつづら折れカード２６６が切断されたことを検出するものであり、このように、カッター２６９により上記つづら折れカード２６６が使い捨てカード２６７として切断されると、上記第３の搬送機構が作動し、該切断された使い捨てカード２６７の長さに対応した長さ分、上記つづら折れカード２６６が該第３の搬送機構により搬送される。また、上記第２のカード収容部２６４と上記図示しないクラッチとの間には、第１２のセンサ２８１が、また、上記第３のカード収容部２６５と上記クラッチとの間には、第１３のセンサ２８２がそれぞれ配設されている。これら第１２のセンサ２８１及び第１３のセンサ２８２は、それぞれ上記一方又は他方のつづら折れカード２６６の存在を検出するものであり、該一方又は他方のつづら折れカード２６６の何れかが、全て上記第３の搬送機構により搬送（排出）されると、これら第１２又は第１３のセンサ２８１，２８２の何れかによりそのことが検出される。したがって、例えば、上記第２のカード収容部２６４内に収容されていた一方のつづら折れカード２６６の全てが上記第３の搬送機構により搬送（排出）されたことが上記第１２のセンサ２８１により検出されると、上記図示しないクラッチが駆動し、上記第３のカード収容部２６５に収容されている他方のつづら折れカード２６６の搬送が開始される。また、上記第２の搬送機構の中途部であって、上記回収ボックス２６１側には、後述するように、駐車カード，回数券，サービス券等が回収されたことを検出する第１４のセンサ２８３が配設されている。
【００６２】
なお、この駐車料金精算装置２３０は、上述した構成要素以外に、図２２に示すように、上記硬貨投入口２３２の後方には、コインリフター２８５やコイン管理装置２８６が設けられ、また、上記紙幣投入口２３３やつり札排出口２３４の後方には、紙幣還流装置２８７が設けられている。また、上記コイン管理装置２８６の下方には、上記硬貨投入口２３２から投入された貨幣が収容される回収ボックス２８８が設けられ、また、上記つり銭排出口２３５の上方には、コイン補助機２８９が設けられている。また、上記回収ボックス２８８の後方には、この駐車料金精算装置２３０の端子台２９０や図示しない電源盤が配設されている。
【００６３】
また、こうした駐車料金精算装置２３０により発行される上記定期カード，プリペイドカード等について簡単に説明すると、この駐車料金精算装置２３０により発行される定期カードは、図２５に示すように、利用できる曜日及び利用時間が限定されない第１の定期カード３００（図２５（Ａ）参照）と、平日で利用時間が限定されない第２の定期カード３０１（図２５（Ｂ）参照）と、月曜日から土曜日まで利用することができる第３の定期カード３０２（図２５（Ｃ）参照）と、夜間（例えば、午後６時から１２時）のみ利用することができる第４の定期カード２０３（図２５（Ｄ）参照）である。これら第１乃至第４の定期カード３００・・・３０３は、全て上記第１のカード収容部２５４に収容されたリライトカードであって、表面には、上記サーマルヘッド２５７により、発行番号３００ａ・・・３０３ａ，種別３００ｂ・・・３０３ｂ，利用可能開始日３００ｃ・・・３０３ｃ，利用可能期限３００ｄ・・・３０３ｄ，購入日３００ｅ・・・３０３ｅ，購入金額３００ｆ・・・３０３ｆ，購入回数３００ｇ・・・３０３ｇ等の管理情報並びに無人有料駐車場の名称，注意事項等の情報が可視的に記録され、裏面に形成された上記磁気記録層にも上記管理情報が磁気記録されている。また、上記プリペイドカードとしては、図２６中（Ａ）又は（Ｂ）に示すように、利用可能残高情報に応じた数種類がこの駐車料金精算装置２３０により（本実施例においては）２種類のプリペイドカード３０４，３０５発行されるようになされ、各プリペイドカード３０４、３０５の表面には、それぞれ上記サーマルヘッド２５７により、発行番号３０４ａ，３０５ａ，利用可能残高３０４ｂ，３０５ｂ，購入日３０４ｃ，３０５ｃ，購入回数３０４ｄ，３０５ｄ等のプリペイドカード情報、無人有料駐車場の名称，注意事項に関する情報が可視的に記録され、裏面に形成された上記磁気記録層には上記磁気ヘッド２６０により上記管理情報が磁気記録されている。
【００６４】
また、この駐車料金精算装置２３０からは、上記通常の定期カードやプリペイドカードばかりではなく、図２７に示すように、定期カードの一種類としてのフリーパスカード３０６や、図示しない小額プリペイドカードが発行される。このフリーパスカード３０６は、図２７に示すように、発行番号３０６ａ，種別３０６ｂ，利用可能開始日３０６ｃ，利用可能期限３０６ｄ，購入金額３０６ｅ等の管理情報並びに無人有料駐車場の名称，注意事項等の情報が可視的に記録され、裏面に形成された上記磁気記録層にも上記管理情報が磁気記録されている。このフリーパスカード３０６は、上記定期カードとして発行される最低利用期限よりも短い期間利用することができる使い捨てカード（紙製カード）であり、また、上記図示しない小額プリペイドカードは、通常のプリペイドカードとして発行される最低利用残高よりも低い小額の利用可能残高情報が記録されるものである。そして、このフリーパスカード３０６及び小額プリペイドカードは、前記第２又は第３のカード収容部２６４，２６５に収容された一方又は他方のつづら折れカード２６６から切断された使い捨てカード２６７の表面に、上記サーマルヘッド２５７により、発行番号，種別，利用可能開始日，利用可能期限又は利用残高，購入金額等の管理情報、無人有料駐車場の名称，注意事項に関する情報が可視的に記録され、裏面に形成された上記磁気記録層には、上記磁気ヘッド２６０により上記管理情報が磁気記録されたものである。また、この駐車料金精算装置２３０からは、図示しないレシート（領収書）が発行される。このレシートは、上記つづら折れカード２６６から切断された使い捨てカード２６７の表面に、上記サーマルヘッド２５７により、「領収書」の文字，上記定期カード又はプリペイドカードの購入金額，入金金額，（お釣りがある場合には）お釣り金額及び精算日時等が可視的に記録されたものである。
【００６５】
以下、上述した構成に係る駐車料金精算装置２３０の動作について、それぞれ図２８乃至図３５に示す各フローチャートと、駐車カード，定期カード，プリペイドカード又は使い捨てカード（フリーパスカード又はレシート）の移動動作を模式的に示す図３６乃至図４０とをそれぞれ参照しながら詳細に説明する。
【００６６】
先ず、図２８に示すフローチャートにおいて、ステップｓｔ１においては、前記表示部２３８に待機画面が表示されている。この待機画面は、例えば、「一時利用の方は駐車カードをお入れ下さい。カード（定期カード，プリペイドカード又はフリーパスカード若しくは小額プリペイドカード）購入又は更新の方は、カード購入／更新ボタンを押して下さい。」といった内容が表示される。次いで、ステップｓｔ２においては、カード購入／更新ボタン２４９が押圧されたか否かが判別され、該カード購入／更新ボタン２４９が押圧されない場合には、次いで、ステップｓｔ３において、駐車カードが上記カード挿入口２３１に挿入されたか否かが判別される。なお、このように駐車カードがカード挿入口２３１に挿入されたか否かは、上記第１のセンサ２７０により検出する。そして、ステップｓｔ３において、駐車カードが挿入されたと判別された場合には、図２９に示すステップｓｔ４に進み、挿入された駐車カードの記録部に磁気記録された入庫日時，入庫番号等の非可視情報が上記磁気ヘッド２６０により読み出されるとともに、図３６に示すカード処理装置２５３の後方であって上記第９のセンサ２７８の配設位置まで、該駐車カードを搬送し、一時該駐車カードをプールする。こうした駐車カードの搬送は、上記第１の搬送機構の駆動により行われ、上記位置に駐車カードがプールされたか否かは、上記第９のセンサ２７８により検出される。なお、上記ステップｓｔ３において、駐車カードが挿入されたと判別されない場合には、再びステップｓｔ１に戻る。
【００６７】
また、ステップｓｔ５においては、上記カード挿入口２３１から挿入された駐車カードが事前精算可能な駐車カードであるか否かが判別される。このステップｓｔ５において、事前精算不可能な駐車カードであると判別された場合には、ステップｓｔ６に進み、上記表示部２３８に、事前精算不可能な駐車カードである旨や精算済みの駐車カードである旨が表示される。因みに、この事前精算不可能な駐車カードとは、上記カード挿入口２３１から挿入された駐車カードが、例えば、他の無人有料駐車場において発行された駐車カード，精算済みの駐車カード，或いは、極めて長期間精算がされずに放置された駐車カード等である場合を指す。また、ステップｓｔ６において上記表示がなされると、次いで、ステップｓｔ７に進み、上記プールされた駐車カードは、上記第１の駆動機構の駆動により、再び上記カード挿入口２３１から一端が露出するまで搬送（返却）される。次いで、ステップｓｔ８においては、上記カード挿入口２３１から一端が露出した駐車カードが抜き取られたか否かが判別され、抜き取られた場合には、この駐車料金精算装置３０の動作は終了する。
【００６８】
一方、上記ステップｓｔ５において、挿入された駐車カードが事前精算可能な駐車カードであると判別された場合には、ステップｓｔ９に進み、駐車料金及び精算方法に関する情報が上記表示部２３８に表示される。次いで、ステップｓｔ１０では、現金（紙幣及び／又は硬貨）が、上記紙幣投入口２３３及び／又は硬貨投入口２３２から投入されたか否かが判別され、現金が投入されたと判別された場合には、ステップｓｔ１１において、請求料金（駐車料金）を減額して、上記表示部２３８に再表示される。そして、ステップｓｔ１２において、投入された現金が請求金額（駐車料金）に到達したか否かが判別される。また、上記ステップｓｔ１０において、現金が投入されないと判別した場合には、ステップｓｔ１３において、上記カード挿入口２３１から回数券（金券）が挿入されたか否かが判別される。このステップｓｔ１３において、回数券が挿入されことが判別されると、ステップｓｔ１４に進む。このステップｓｔ１４では、上記表示部２３８に請求金額（駐車料金）を減額して再表示するとともに、挿入された回数券を上記回収ボックス２６１に回収し、上記ステップｓｔ１２に進む。なお、このように、回数券を回収する場合には、上記図示しない切替フラッパーが駆動し、該回数券は、上記第１の搬送機構の中途部から上記第２の搬送機構に導かれる。
【００６９】
また、上記ステップｓｔ１３において、回数券が挿入されないことが判別されると、次いで、サービス券が挿入されたか否かが判別され（ステップｓｔ１５）、サービス券が挿入されたと判別されると、ステップｓｔ１６において、駐車料金からサービス料金が減額された請求金額が上記表示部２３８に表示されるとともに、上記挿入されたサービス券は、上記ステップｓｔ１４における回数券の動作と同じように、上記回収ボックス２６１に回収され、上記ステップｓｔ１２に進む。また、上記ステップｓｔ１５において、サービス券が挿入されないことが判別されると、ステップｓｔ１７において、プリペイドカード（上記小額プリペイドカードを含む。）が挿入されたか否かが判別される。このステップｓｔ１７において、プリペイドカード（上記小額プリペイドカードを含む。）が挿入されないと判別された場合には、上記ステップｓｔ１０に戻る。一方、上記プリペイドカード（上記小額プリペイドカードを含む。）が挿入されたと判別された場合には、ステップｓｔ１８において、上記表示部２３８に、請求金額（駐車料金）を再度表示する。また、このステップｓｔ１８においては、上記挿入されたプリペイドカード（上記小額プリペイドカードを含む。）の表面に、図２６に示すように、上記サーマルヘッド２５７により、（今回の）利用金額（駐車料金），精算日時，該プリペイドカードの挿入時における利用可能残高から上記駐車料金を減額した残高（利用可能残高）の履歴情報がそれぞれ記録（印字）される（可視的に記録される）とともに、裏面に形成された磁気記録層にも、上記磁気ヘッド２６０により上記利用金額，精算日時等が磁気記録（非可視的に記録）される。なお、上記プリペイドカードの表面に上記履歴情報が上方から下方に可視的に記録され、こうした履歴情報を記録するスペースが無くなった場合には、それまで記録された履歴情報は全て上記消去ヘッド２５８により消去され新たな履歴情報が最も上方に記録される。また、こうした動作がなされると、上記カード挿入口２３１から挿入されたプリペイドカード（上記小額プリペイドカードを含む。）は、上記第１の搬送機構の駆動により、該プリペイドカード（上記小額プリペイドカードを含む。）の一端が上記カード挿入口２３１から露出される。そして、こうした動作がなされると、次いで、ステップｓｔ１９に進み、上記プリペイドカード（上記小額プリペイドカードを含む。）が抜き取られたか否かが判別され、該プリペイドカード（上記小額プリペイドカードを含む。）が抜き取られたと判別された場合には、上記ステップｓｔ１２に進む。
【００７０】
なお、上述したように、カード挿入口２３１から上記回数券又はサービス券が挿入されると、上記第１のセンサ２７０によりそれが検出され、上記図示しない第１の搬送機構が駆動することにより、該回数券又はサービス券は、図３６に示すように、上記第５のセンサ２７４の配設位置の手前まで搬送され、その位置でプールされる。こうした回数券又はサービス券の搬送途中において、上記磁気ヘッド２６０により、該回数券又はサービス券の裏面に形成された磁気記録部に記録された金額情報が読み出される。こうした動作の後に、上記ステップｓｔ１４又はステップｓｔ１６の動作がされる。そして、このように上記磁気ヘッド２６０による金額情報の読み出しが完了すると、前述した位置でプールされた回数券又はサービス券は、それぞれ図示しない第２の搬送機構の駆動により、上記回収ボックス２６１に回収される。一方、上記カード挿入口２３１に上記プリペイドカード（上記小額プリペイドカードを含む。）が挿入された場合には、上記回数券等と同じ動作により、一旦上記第５のセンサ２７４の配設位置の手前まで搬送され、その位置でプールされるとともに、搬送途中において、上記磁気ヘッドにより利用可能残高情報が読み出されると、再び第１の搬送機構を介して上記カード挿入口２３１方向に搬送される。この際、このプリペイドカード（上記小額プリペイドカードを含む。）の表面には、上記サーマルヘッド２５７により、（今回の）利用金額（駐車料金），精算日時，該プリペイドカードの挿入時における利用可能残高から上記駐車料金を減額した残高（利用可能残高）がそれぞれ記録（印字）される。こうしたサーマルヘッド２５７による印字がされると、さらに、このプリペイドカード（上記小額プリペイドカードを含む。）は、上記第１の搬送機構により再び上記プールされた位置に戻され、さらにこの位置から上記磁気ヘッド６０により上述した情報が磁気記録される。
【００７１】
また、上述したように、現金の投入又は回数券，サービス券若しくはプリペイドカード（上記小額プリペイドカードを含む。）の挿入により、上記ステップｓｔ１２において、請求金額（駐車料金）に到達したと判別された場合には、ステップｓｔ２０に進む。このステップｓｔ２０においては、図３７に示す第９のセンサ２７８の配設位置近傍にそれまでプールされていた駐車カードを、再び上記カード挿入口２３１方向に搬送し、この搬送途中において、上記磁気ヘッド２６０により、該駐車カードの裏面に駐車料金が精算された旨が磁気記録される。なお、このステップｓｔ２０においては、ステップｓｔ３における駐車カードの挿入が確認された後に、図２０に示すレシートボタン２３６が押圧操作された場合には、この駐車カードに、精算日時，精算金額（駐車料金）等の領収情報が上記サーマルヘッド２５７により印字（可視的に記録）される。また、このように、レシートボタン２３６が押圧操作された場合には、上記磁気ヘッド２６０により、この駐車カードがレシートとして、前記出口操作装置２１５に内蔵された読出し部により読み出される情報が磁気記録される。したがって、上記レシートボタン２３６が押圧操作された場合には、それまで図３５に示す第９のセンサ２７８の配設位置近傍にプールされていた駐車カードは、第１の搬送機構により、上記カード挿入口２３１側に搬送され、上記磁気ヘッド２６０により、該駐車カードの裏面に駐車料金が精算された旨の情報が書き込まれる。その後、この磁気ヘッド２６０により書き込まれた（磁気記録された情報が正確に記録されたか否かが該磁気ヘッド２６０により読み出され、これが正しいと判別された場合には、上記サーマルヘッド２５７により領収内容が印字され、こうした印字が終了すると、上記第５のセンサ２７４の手前まで戻され、次いで、上記カード挿入口２３１方向に搬送される。こうした搬送途中において、と、出口操作装置２１５に内蔵された読出し部により読み出される情報とが磁気記録され、このように磁気記録が終了すると、該駐車カードは、上記図示しない上記第１の搬送機構の駆動により、一端が上記カード挿入口２３１から露出される。
【００７２】
また、こうした動作が終了すると、図３０に示すステップｓｔ２１では、お釣りがあるか否かが判別され、お釣りがある場合には、さらにつり銭切れか否が判別される（ステップｓｔ２２）。つり銭が切れていない場合には、ステップｓｔ２３において、上記つり銭排出口２３５及び／又はつり札排出口２３４からお釣りが排出される。また、つり銭切れである場合には、ステップｓｔ２４において、お釣りとして利用者に返却されるお釣り金額情報（預かり金額情報）が記憶部に記憶され、ステップｓｔ２５に進む。このステップｓｔ２５においては、一端がカード挿入口２３１から露出した上記駐車カードが抜き取られたか否かが判別される。そして、このように、駐車カードがカード挿入口２３１から抜き取られ、または、上記ステップｓｔ２３においてお釣りが放出され、若しくは、ステップｓｔ２４において利用者に返却されるお釣り金額が記憶部に記憶されると、ステップｓｔ２６において、事前精算が終了した旨の情報が上記表示部２３８に表示される。また、こうした動作がステップｓｔ２６においてなされると、次いで、ステップｓｔ２７において、預かり金額（上記お釣りとして利用者に返却されるお釣り金額情報）が存在するか否かが判別され、該預かり金額がない場合には、終了する。また、上記預かり金額がある場合には、ステップｓｔ２８に進み、上記一方又は他方のつづら折れカード２６６（切断された使い捨てカード２６７）が、上記第３の搬送機構及び第１の搬送機構を介して上記カード挿入口２３１方向に搬送され、該使い捨てカード２６７の表面には、上記サーマルヘッド２５７により預かり金額及び精算日時等が可視的に印字されるとともに、裏面には、上記磁気ヘッド２６０により預かり金額及び精算日時が磁気記録され、上記カード挿入口２３１からレシート（預り証）として返却され、ステップ２９において、このレシート（預り証））が抜き取られると、事前精算に係る一連の動作は終了する。なお、この駐車料金精算装置２３０においては、このように返却されたレシート（預り証）は、前述した回数券又はサービス券と同様の構成からなるカードとされ、該回数券又はサービス券として駐車料金の精算に使用できるようにされている。
【００７３】
また、上記ステップｓｔ２において、カード購入／更新ボタン２４９が押圧されたと判別された場合には、図２８に示すように、ステップｓｔ３０に進む。このステップｓｔ３０では、上記表示部２３８に、定期カード又はプリペイドカードの新規購入若しくはこれらを更新するか否かを尋ねる案内情報と、この表示部２３８の下方に設けられた第１乃至第１０の操作ボタン２３９・・・２４８に表示された番号の全部又は一部に対応する詳細情報がそれぞれ表示される。例えば、上記案内情報としては、「新規に購入する番号又は更新する番号を押して下さい。」なる文字が表示され、また、上記詳細情報としては、例えば、「１．定期カード（新規）２．定期カード（更新）３．プリペイドカード（新規）４．プリペイドカード（更新）」なる文字が表示される。こうしたステップｓｔ３０における動作が終了すると、次いで、ステップｓｔ３１において、定期カードの新規購入が選択されたか否かが判別される。そして、このステップｓｔ３１において、定期カードの新規購入が選択されない場合には、次いで、ステップｓｔ３２において、定期カードの更新が選択されたか否かが判別され、定期カードの更新が選択されない場合には、次いで、ステップｓｔ３３において、プリペイドカードの新規購入が選択されたか否かが判別され、このプリペイドカードの新規購入が選択されない場合には、さらに、プリペイドカードの更新が選択されたか否かが判別される（ステップｓｔ３４）。なお、こうしたステップｓｔ３１乃至ステップｓｔ３４における判別は、上記例では、「１」の番号が表示された上記第１の操作ボタン３９，「２」の番号画表示された第２の操作ボタン４０，「３」の番号が表示された第３の操作ボタン２４１又は「４」の番号が付された第４の操作ボタン２４２の何れかが押圧操作されたか否かで判別される。
【００７４】
そして、上記ステップｓｔ３１において、定期カードの新規購入が選択されたと判別された場合には、図３１に示すように、ステップｓｔ３５に進み、このステップｓｔ３５では、上記表示部２３８に駐車カードの挿入を促す案内情報が表示される。次いで、ステップｓｔ３６においては、駐車カードが上記カード挿入口２３１から挿入されたか否かが判別され、挿入されたと判別された場合には、ステップｓｔ３７において、該駐車カードの裏面に磁気記録された情報を上記磁気ヘッド２６０により読み出すとともに、図３８に示すように、該駐車カードを上記第９のセンサ２７８の配設位置に搬送しプールする。そして、ステップｓｔ３８においては、このプールされた駐車カードが長期駐車か否かが判別され、長期駐車であると判別された場合には、上記表示部２３８に定期カードの購入が不能である旨の情報が表示され（ステップｓｔ３９）、それまでプールされていた駐車カードは再び一端が上記カード挿入口２３１から露出するよう搬送される（ステップｓｔ４０）。そして、ステップｓｔ４１では、上記カード挿入口２３１から露出した駐車カードが抜き取られたか否かが判別され、抜き取られた場合には終了する。
【００７５】
また、上記ステップｓｔ３８において、長期駐車ではないと判別された場合には、上記第１乃至第１０の操作ボタン２３９・・・２４８に表示された番号の全部又は一部との対応関係の下に、上記表示部２３８に定期カードの種類に関する情報と、購入金額に関する情報とがそれぞれ表示される（ステップｓｔ４２）。なお、この表示部２３８に表示される定期カードの種類としては、前述した第１乃至第４の定期カード３００・・・３０３ばかりではなく、該定期カード（符号は省略する。）として発行される最低利用期限よりも短い期間利用することができるフリーパスカード３０６（使い捨てカード）も含まれている。そして、ステップｓｔ４３では、上記第１乃至第１０の操作ボタン２３９・・・２４８の何れかが押圧操作されたか（選択されたか）否かが判別される。そして、現金（紙幣及び／又は硬貨）が、上記紙幣投入口２３３及び／又は硬貨投入口２３２から投入される（ステップｓｔ４４）と、この投入金額に応じた金額が減算された請求金額情報（販売金額情報）が上記表示部３８に表示され（ステップｓｔ４５）、投入された金額が請求金額（販売金額）に到達したか否かが判別される（ステップｓｔ４６）。このステップｓｔ４６において、請求金額に到達したと判別されると、上記表示部２３８に、定期カードの購入及び精算が完了した旨の情報が表示され（ステップｓｔ４７）、それまでプールされていた駐車カードは、図３８に示すように、一旦上記第１の搬送機構の駆動により、上記カード挿入口２３１方向に搬送される。こうした駐車カードの搬送途中において、上記磁気ヘッド２６０により、該駐車カードの裏面に駐車料金が精算された旨が磁気記録され、さらに、このように磁気記録が終了すると、上記第１の搬送機構及び第２の搬送機構の駆動により、該駐車カードは、上記回収ボックス２６１内に回収される（ステップｓｔ４８）。
【００７６】
また、こうした動作が終了すると、次いで、図３２に示すように、ステップｓｔ４９において、購入された定期カードが通常の定期カードであるかフリーパスカードであるか否か（短期定期カードか否か）が判別され、通常の定期カードである（短期定期カード：フリーパスカードではない）と判別された場合には、ステップｓｔ４５０に進む。このステップｓｔ５０では、図３９に示すように、上記第１のカード収容部２５４に収容されたリライトカードが、上記図示しない第１の搬送機構の駆動により、上記カード処理装置５３内に搬送される。こうした搬送が完了すると、上記磁気ヘッド２６０により、上記リライトカードの裏面に形成された磁気記録層に入庫日時や入庫番号等の入庫情報と、定期カードの種類，利用期限，購入金額，購入回数等の定期カード情報が磁気記録される。こうした磁気ヘッド２６０による記録（書込み）動作が終了すると、上記第１の搬送機構の駆動により、カード処理装置２５３から上記第５のセンサ２７４の手前まで戻され、再度、該カード処理装置２５３内に搬送され、上記サーマルヘッド２５７により、上記定期カードの種類，利用期限，購入金額，購入回数等の定期カード情報が印字される。
【００７７】
一方、上記ステップｓｔ４９において、購入された定期カードが短期定期カード（フリーパスカード）であると判別された場合には、ステップｓｔ５１に進む。このステップｓｔ５１では、上記つづら折れカード２６６により、フリーパスカードが発行される。すなわち、利用者により選択された定期カードがフリーパスカードである場合には、図４０に示すように、上記第３の搬送機構の駆動により、例えば、第２のカード収容部２６４から一方のつづら折れカード２６６が引き出されるとともに上記カッター２６９により切断されて一枚の使い捨てカード２６７が取り出され、この一枚の使い捨てカード２６７は、上記第１の搬送機構により上記カード処理装置２５３内に搬送される。この時、この使い捨てカード２６７には、裏面に形成された磁気記録層に入庫日時や入庫番号等の入庫情報と、定期カードの種類，利用期限，購入金額，購入回数等の定期カード情報が磁気ヘッド２６０により磁気記録される。こうした磁気ヘッド２６０による記録（書込み）動作が終了すると、上記第１の搬送機構の駆動により、カード処理装置２５３から上記第９のセンサ２７８の配設位置まで戻され、再度、該カード処理装置２５３内に搬送され、上記サーマルヘッド２５７により、上記定期カードの種類，利用期限，購入金額，購入回数等の定期カード情報が印字される。なお、このように所定の可視情報が印字（記録）された上記リライトカード又は使い捨てカード２６７は、定期カード又はフリーパスカードとして、一端が上記カード挿入口２３１から外部に露出した状態となるまで搬送される。
【００７８】
また、上記図２８に示すステップｓｔ３２において、定期カードの更新が選択された場合には、図３３に示すステップｓｔ５２に進む。このステップｓｔ５２では、上記表示部２３８に、更新する定期カードをカード挿入口２３１内に挿入することを促す案内情報が表示され、次いで、更新する定期カードが該カード挿入口２３１から挿入されたか否かが判別される（ステップｓｔ５３）。そして、このステップｓｔ５３において、上記更新する定期カードが挿入されたと判別された場合には、ステップｓｔ５４において、該挿入された定期カードに磁気記録された上記定期カードの種類，利用期限，購入金額，購入回数等の定期カード情報が磁気ヘッド２６０により読み出され、上記カード処理装置２５３内にプールされる。そして、このように、定期カード情報が磁気ヘッド２６０により読み出されると、次いで、この挿入された定期カードが更新可能期間内であるか否かが判別され（ステップｓｔ５５）、更新可能期間内ではない場合には、ステップｓｔ５６に進み、上記表示部２３８に、更新することができない旨を伝える案内情報が表示され、ステップｓｔ５７において、それまで内部にプールされていた定期カードを上記カード挿入口２３１から一端が外部に露出するように搬送（定期カードの返却）し、ステップｓｔ５８において、該定期カードが抜き取られたか否かが判別される。この定期カードが抜き取られた場合には、この定期カードを更新する動作は終了する。
【００７９】
また、上記ステップｓｔ５５において、挿入された定期カードが更新可能期間内であると判別された場合には、上記ステップｓｔ４２での動作と同じように、上記第１乃至第１０の操作ボタン２３９・・・２４８に表示された番号の全部又は一部との対応関係の下に、上記表示部２３８に定期カードの種類に関する情報と、請求金額に関する情報とがそれぞれ表示される（ステップｓｔ５９）。なお、このステップｓｔ５９において上記表示部２３８に表示される請求金額は、更新前の定期カードに記録及び印字された更新回数に応じて、割引された金額となされている。そして、ステップｓｔ６０では、上記第１乃至第１０の操作ボタン２３９・・・２４８の何れかが押圧操作されたか（選択されたか）否かが判別される。そして、現金（紙幣及び／又は硬貨）が、上記紙幣投入口２３３及び／又は硬貨投入口２３２から投入される（ステップｓｔ６１）と、この投入金額に応じた金額が減算された請求金額情報（販売金額情報）が上記表示部２３８に表示され（ステップｓｔ６２）、投入された金額が請求金額（販売金額）に到達したか否かが判別される（ステップｓｔ６３）。このステップｓｔ６３において、請求金額に到達したと判別されると、上記表示部２３８に、定期カードの更新及び精算が完了した旨の情報が表示され（ステップｓｔ６４）、ステップｓｔ６５に進む。このステップｓｔ６５においては、既に挿入された定期カード（更新前の定期カード）に記録された利用可能期限情報等を書き換え（更新し）、この更新された新たな定期カードの一端が上記カード挿入口２３１から外部に露出されるまで搬送する。すなわち、こうした定期カードの更新は、上記更新前の定期カードが上記カード挿入口２３１から挿入されると、上記図示しない第１の搬送機構の駆動により、上記カード処理装置２５３内に搬送し、上記磁気ヘッド２６０により、該更新前の定期カードに記録された定期カード情報を読み出し、こうした読出しが終了すると、該カード処理装置２５３内から第１の搬送機構の駆動により、上記第５のセンサ２７４の近傍まで搬送しプールする。そして、このプールされた更新前の定期カードは、再び上記カード処理装置２５３内に搬送され、上記磁気ヘッド２６０により新たな定期カード情報が磁気記録されるとともに、該更新前の定期カードの表面に（可視的に）印字されていた定期カードの種別や利用可能期限情報は、上記消去ヘッド２５８により一旦消去され、その後に、上記サーマルヘッド２５７により新たに上記定期カードの種別や利用可能期限情報が印字され、こうした動作により更新された新たな定期カードが完成する。なお、上記磁気ヘッド２６０により磁気記録される情報や、上記サーマルヘッド２５７により印字される情報には、更新前の定期カードに記録されていた購入回数に１が加算した購入回数に関する情報が含まれる。
【００８０】
また、上記ステップｓｔ３３において、プリペイドカードの新規購入が選択された場合には、図３４に示すステップｓｔ６６に進む。このステップｓｔ６６では、上記第１乃至第１０の操作ボタン２３９・・・２４８に表示された番号の全部又は一部との対応関係の下に、上記表示部２３８にプリペイドカードの種類に関する情報と、購入金額に関する情報とがそれぞれ表示される。なお、この表示部２３８に表示されるプリペイドカードの種類としては、前述した第１又は第２のプリペイドカード３０４，３０５以外に上記小額プリペイドカードも含まれる。そして、ステップｓｔ６７では、上記第１乃至第１０の操作ボタン２３９・・・２４８の何れかが押圧操作されたか（選択されたか）否かが判別される。そして、現金（紙幣及び／又は硬貨）が、上記紙幣投入口２３３及び／又は硬貨投入口２３２から投入される（ステップｓｔ６８）と、この投入金額に応じた金額が減算された請求金額情報（販売金額情報）が上記表示部２３８に表示され（ステップｓｔ６９）、投入された金額が請求金額（販売金額）に到達したか否かが判別される（ステップｓｔ７０）。このステップｓｔ７０において、請求金額に到達したと判別されると、上記表示部２３８に、プリペイドカード（小額プリペイドカードを含む。）の購入及び精算が完了した旨の情報が表示される（ステップｓｔ７１）。
【００８１】
そして、ステップｓｔ７２においては、購入者から選択されたプリペイドカードの種別が長期の（通常の）プリペイドカードか否か、すなわち、上記小額プリペイドカードではないか否かが判別される。このステップｓｔ７２により、通常のプリペイドカードが選択されたことが判別されると、ステップｓｔ７３に進む、このステップｓｔ７３では、上記第１のカード収容部２５４に収容されたリライトカードが、上記図示しない第１の搬送機構の駆動により、上記カード処理装置２５３内に搬送される。こうした搬送が完了すると、上記磁気ヘッド２６０により、上記リライトカードの裏面に形成された磁気記録層に入庫日時や入庫番号等の入庫情報と、プリペイドカードの種類，利用可能残高，購入金額，購入回数等のプリペイドカード情報が磁気記録される。こうした磁気ヘッド２６０による記録（書込み）動作が終了すると、上記第１の搬送機構の駆動により、カード処理装置２５３から上記第５のセンサ２７４の近傍まで戻され、再度、該カード処理装置２５３内に搬送され、上記サーマルヘッド２５７により、上記プリペイドカードの種類，利用可能残高，購入金額，購入回数等のプリペイドカード情報が印字される。
【００８２】
一方、上記ステップｓｔ７２において、購入されたプリペイドカードが小額プリペイドカードであると判別された場合には、ステップｓｔ７４に進む。このステップｓｔ７４では、上記つづら折れカード２６６により、小額プリペイドカードが発行される。すなわち、利用者により選択されたプリペイドカードが小額プリペイドカードである場合には、上記第３の搬送機構の駆動により、例えば、一方のつづら折れカード２６６が引き出されるとともに上記カッター２６９により切断されて一枚の使い捨てカード２６７が取り出され、この一枚の使い捨てカード２６７は、上記第１の搬送機構により上記カード処理装置２５３内に搬送される。この時、この使い捨てカード２６７には、裏面に形成された磁気記録層に入庫日時や入庫番号等の入庫情報と、プリペイドカードの種類，利用可能残高，購入金額，購入回数等のプリペイドカード情報が磁気ヘッド２６０により磁気記録される。こうした磁気ヘッド２６０による記録（書込み）動作が終了すると、上記第１の搬送機構の駆動により、カード処理装置２５３から上記第５のセンサ２７４の近傍まで戻され、再度、該カード処理装置２５３内に搬送され、上記サーマルヘッド２５７により、上記小額プリペイドカードの種類，利用可能残高，購入金額，購入回数等のプリペイドカード情報が印字される。なお、このように所定の可視情報が印字（記録）された上記リライトカード又は使い捨てカード２６７は、通常のプリペイドカード又は小額プリペイドカードとして、一端が上記カード挿入口３１から外部に露出した状態となるまで搬送される。
【００８３】
また、上記ステップｓｔ３４において、プリペイドカードの更新が選択された場合には、図３５に示すステップｓｔ７５に進む。このステップｓｔ７５では、上記表示部２３８に、更新するプリペイドカードをカード挿入口２３１内に挿入することを促す案内情報が表示され、次いで、更新するプリペイドカードが該カード挿入口２３１から挿入されたか否かが判別される（ステップｓｔ７６）。そして、このステップｓｔ７６において、上記更新するプリペイドカードが挿入されたと判別された場合には、ステップｓｔ７７において、該挿入されたプリペイドカードに磁気記録された上記プリペイドカードの種類，利用期限，購入金額，購入回数等のプリペイドカード情報が磁気ヘッド２６０により読み出される。そして、このように、プリペイドカード情報が磁気ヘッド２６０により読み出されると、次いで、この挿入されたプリペイドカードが更新可能期間（有効期間）内であるか否かが判別され（ステップｓｔ７８）、更新可能期間内ではない場合には、ステップｓｔ７９に進み、上記表示部２３８に、更新することができない旨を伝える案内情報が表示され、ステップｓｔ８０において、それまで内部にプールされていたプリペイドカードを上記カード挿入口２３１から一端が外部に露出するように搬送（定期カードの返却）し、ステップｓｔ８１において、該プリペイドカードが抜き取られたか否かが判別される。この定期カードが抜き取られた場合には、この定期カードを更新する動作は終了する。
【００８４】
また、上記ステップｓｔ７８において、挿入されたプリペイドカードが更新可能期間内であると判別された場合には、上記第１乃至第１０の操作ボタン２３９・・・２４８に表示された番号の全部又は一部との対応関係の下に、上記表示部２３８にプリペイドカードの種類に関する情報と、請求金額に関する情報とがそれぞれ表示される（ステップｓｔ８２）。なお、このステップｓｔ８２において上記表示部２３８に表示される請求金額は、更新前のプリペイドカードに記録及び印字された更新回数に応じて、割引された金額となされている。そして、ステップｓｔ８３では、上記第１乃至第１０の操作ボタン２３９・・・２４８の何れかが押圧操作されたか（選択されたか）否かが判別される。そして、現金（紙幣及び／又は硬貨）が、上記紙幣投入口２３３及び／又は硬貨投入口２３２から投入される（ステップｓｔ８４）と、この投入金額に応じた金額が減算された請求金額情報（販売金額情報）が上記表示部２３８に表示され（ステップｓｔ８５）、投入された金額が請求金額（販売金額）に到達したか否かが判別される（ステップｓｔ８６）。このステップｓｔ８６において、請求金額に到達したと判別されると、上記表示部２３８に、プリペイドカードの更新及び精算が完了した旨の情報が表示され（ステップｓｔ８７）、ステップｓｔ８８に進む。このステップｓｔ８８においては、既に挿入されたプリペイドカード（更新前のプリペイドカード）に記録された利用可能残高報等を書き換え（更新し）、この更新された新たなプリペイドカードの一端が上記カード挿入口３１から外部に露出されるまで搬送する。すなわち、こうしたプリペイドカードの更新は、上記更新前のプリペイドカードが上記カード挿入口２３１から挿入されると、上記図示しない第１の搬送機構の駆動により、上記カード処理装置２５３内に搬送し、上記磁気ヘッド２６０により、該更新前のプリペイドカードに記録されたプリペイドカード情報を読み出し、こうした読出しが終了すると、該カード処理装置２５３内から第１の搬送機構の駆動により、該プリペイドカードを上記第５のセンサ２７４の近傍まで搬送しプールする。そして、このプールされた更新前のプリペイドカードは、再び上記カード処理装置２５３内に搬送され、上記磁気ヘッド２６０により新たなプリペイドカード情報が磁気記録されるとともに、該更新前のプリペイドカードの表面に（可視的に）印字されていたプリペイドカードの種別や利用可能金額情報は、上記消去ヘッド２５８により一旦消去され、その後に、上記サーマルヘッド２５７により新たに上記プリペイドカードの種別や利用可能期限情報が印字され、こうした動作により更新された新たなプリペイドカードが完成する。なお、上記磁気ヘッド２６０により磁気記録される情報や、上記サーマルヘッド２５７により印字される情報には、更新前のプリペイドカードに記録されていた購入回数に１を加算した購入回数に関する情報が含まれる。
【００８５】
そして、上述のように、ステップｓｔ５０において新規の定期カードが、ステップｓｔ５１においてフリーパスカードが、ステップｓｔ６５において更新された定期カードが、ステップｓｔ７３において新規のプリペイドカードが、ステップｓｔ７４において小額プリペイドカードが、ステップｓｔ８８において更新されたプリペイドカード（以下、発行カードという。）の何れかが発行され、発行カードの一端が上記カード挿入口２３１から外部に露出するように第１の搬送機構により搬送されると、次いで、図３２に示すステップｓｔ８９に進む。このステップｓｔ８９では、お釣りがあるか否かが判別され、お釣りがある場合には、さらにつり銭切れか否が判別される（ステップｓｔ９０）。つり銭が切れていない場合には、ステップｓｔ９１において、上記つり銭排出口２３５及び／又はつり札排出口２３４からお釣りが排出される。また、つり銭切れである場合には、ステップｓｔ９２において、お釣りとして利用者に返却されるお釣り金額情報（預かり金額情報）が記憶部に記憶され、ステップｓｔ９３に進む。このステップｓｔ９３においては、一端がカード挿入口２３１から露出した上記発行カードが抜き取られたか否かが判別される。そして、上記発行カードがカード挿入口２３１から抜き取られ場合には、次いで、上記レシートボタン２３６が押圧操作されたか否かが判別され（ステップｓｔ９４）、該レシートボタン２３６が押圧操作された場合には、ステップｓｔ９５に進む。このステップｓｔ９５では、上記一方又は他方のつづら折れカード２６６（切断された使い捨てカード２６７）が、上記第３の搬送機構及び第１の搬送機構を介して上記カード挿入口２３１方向に搬送され、該使い捨てカード２６７の表面には、上記サーマルヘッド２５７により支払い金額及び支払い日時等が可視的に印字されるとともに、裏面には、上記磁気ヘッド２６０により支払い金額及び支払い日時が磁気記録され、上記カード挿入口２３１から返却され、ステップｓｔ９６に進む。また、上記ステップｓｔ９４において、レシートボタン２３６が押圧操作されない場合にも、このステップｓｔ９６に進む。このステップｓｔ９６では、預かり金額（上記お釣りとして利用者に返却されるお釣り金額情報）が存在するか否かが判別され、該預かり金額がない場合には、終了する。また、上記預かり金額がある場合には、ステップｓｔ９７に進み、上記一方又は他方のつづら折れカード２６６（切断された使い捨てカード２６７）が、上記第３の搬送機構及び第１の搬送機構を介して上記カード挿入口２３１方向に搬送され、該使い捨てカード２６７の表面には、上記サーマルヘッド２５７により預かり金額及び預かり日時等が可視的に印字されるとともに、裏面には、上記磁気ヘッド２６０により預かり金額及び預かり日時が磁気記録され、上記カード挿入口２３１からレシート（預り証）として返却され、ステップ９８に進む。このステップ９８では、上記返却されたレシート（預り証）が抜き取られたか否かが判別され、抜き取られた場合には各動作が終了する。なお、この実施例に係る駐車料金精算装置２３０においては、このように返却された使い捨てカードであるレシート（預り証）２６７は、前述した回数券又はサービス券と同様の構成からなるカードとされ、該回数券又はサービス券として駐車料金の精算に使用できるようにされている。
【００８６】
したがって、上述した本実施例に係る駐車料金精算装置２３０によれば、駐車カードを挿入することにより事前に駐車料金を精算することができるばかりではなく、定期カードやプリペイドカードが発行されるカード発行機構を有していることから、無人有料駐車場の開業当初における投資コストを安価にすることができ、また、設置スペースが駐車スペースを圧迫することがない。また、この駐車料金精算装置２３０では、上記定期カード又はプリペイドカードが発行される発行口は、上記駐車カードが挿入されるカード挿入口２３１であることから、装置内の構成を簡素化することができるとともに、小型化を実現することができる。また、この駐車料金精算装置２３０によれば、利用者にとっても極めて使い勝手が良い。さらに、この駐車料金精算装置２３０によれば、防犯上の対策も単一の措置を施せば良く、また、管理者による現金の回収も簡易且つ迅速に行うことができる。
【００８７】
また、上記駐車料金精算装置２３０では、単に定期カードやプリペイドを発行することができるのみならず、発行済みの定期カードやプリペイドカードを更新することができ、一度発行された定期カード等を再利用することができ、さらには、定期カードやプリペイドカードとして発行されるカードは、全て第１のカード収容部２５４内に収容されたリライトカードにより作成されることから、定期カード等に宛てられるコストを削減することができるばかりではなく、発行される定期カード又はプリペイドカードを頻繁に補充する作業をも低減することができ、管理コストの低減にも大きく寄与することができる。しかも、この駐車料金精算装置２３０では、前記定期カードに記録された更新累計回数が、所定の累計回数を上回り、又は前記プリペイドカードに記録された更新累計金額が、所定の金額を上回る場合には、更新された定期カード又はプリペイドカードの購入金額が減額されるよう構成されてなることから、より定期カード又はプリペイドカードが更新される可能性を高めることができ、新規の定期カード又はプリペイドカードの発行を抑制することができることから、より一層該定期カード又はプリペイドカードに宛てられるコストを削減することができ、また、発行される定期カード又はプリペイドカードを頻繁に補充する作業をさらに低減することができる。
【００８８】
また、この駐車料金精算装置２３０によれば、定期カードとして発行される最低利用期限よりも短い利用期限情報が記録された紙製カードであるフリーパスカード（使い捨てカード）が発行されるとともに、前記プリペイドカードとして発行される最低利用可能残高よりも少ない利用可能残高情報が記録された紙製カードである小額プリペイドカード（使い捨てカード）が発行されるよう構成されてなり、これらフリーパスカード及び小額プリペイドカードは、上記リライトカードとは素材の異なる紙製のつづら折れカード２６６を利用するものであることから、上記リライトカードの発行頻度を抑制することができ、発行されるカード全体に必要なコストを安価にすることができる。
【００８９】
なお、前記実施例に係る駐車料金精算装置２３０では、定期カードやプリペイドカードの更新回数に応じて、該定期カード又はプリペイドカードの購入金額が減額されるよう構成されているが、本発明は、必ずしもこのような更新する定期カードやプリペイドカード購入金額の減額に限定されるものではなく、定期カードであれば、利用可能期限を通常の利用可能期限よりも延長した利用可能期限情報が記録され、プリペイドカードであれば、通常の利用残高情報よりも増額された利用可能残高情報が記録されるように構成されたものであっても良い。
【００９０】
また、前記実施例に係る駐車料金精算装置２３０では、前述した通り、入口ゲート２０１や出口ゲート２０２とはやや離間した位置に設置されたものを図示して説明したが、本発明に係る駐車料金精算装置は、上記出口ゲート２に設置されてなるものであっても良い。すなわち、本発明は、上記出口ゲート２における出庫操作装置２１５の設置位置に上記実施例に係る駐車料金精算装置２３０が設置されていても良い。この図示しないこの駐車料金精算装置は、上述した実施例に係る駐車料金精算装置２３０の機能を備えてなるとともに、前記駐車カード発行装置２０３や前記他方の開閉バー２１６に電気的に接続されている。そして、この駐車料金精算装置には、上記駐車料金精算装置２３０の構成要素に加え、定期カード又はフリーパスカードがカード挿入口に挿入された場合には、該定期カード又はフリーパスカードに磁気記録された定期カード情報を読み込み、該定期カード等が利用期限内である場合には、該定期カード等を返却するとともに、上記他方の開閉バー２１６を上昇駆動させる機能を備えている。
【００９１】
このように構成された駐車料金精算装置による場合であっても、上記他方の開閉バー２１６の動作を除いて、基本的に上記実施例に係る駐車料金精算装置と同じ作用・効果を奏することができる。
【図面の簡単な説明】
【００９２】
【図１】券処理ユニットの動作を示すフローチャートである。
【図２】給油料金精算装置と給油装置とを模式的に示す正面図である。
【図３】給油料金精算装置の内部構造を示す側面図である。
【図４】つづら折れ券の外観を示す斜視図である。
【図５】給油料金の精算方法としてプリペイドカードによる精算方法が選択された後の表示部の表示内容を示す正面図である。
【図６】発行済みのプリペイドカードが挿入された後の表示部の表示内容を示す正面図である。
【図７】給油料金の精算（情報処理）方法をメインルーチンからその途中までの手順を示すフローチャートである。
【図８】図７に示すフローチャートから更にその途中までの手順を示すフローチャートである。
【図９】図８に示すフローチャートから更にその途中まで手順を示すフローチャートある。
【図１０】図９に示すフローチャートから更にその途中までの手順を示すフローチャートである。
【図１１】お釣り預かり券の正面図である。
【図１２】給油料金精算装置により発行された樹脂製プリペイドカードの正面図である。
【図１３】領収書の正面図である。
【図１４】割引券の正面図である。
【図１５】プレゼント券の正面図である。
【図１６】無人有料駐車場システムの全体構成を模式的に示す模式図である。
【図１７】図１６に示す無人有料駐車場の構成要素の関係を示すブロック図である。
【図１８】駐車カード発行装置を示す正面図である。
【図１９】出庫操作装置を示す正面図である。
【図２０】駐車料金精算装置を示す正面図である。
【図２１】駐車料金精算装置の内部に形成された搬送機構等を模式的に示す模式図である。
【図２２】駐車料金精算装置の内部の機械的構成を模式的に示す模式図である。
【図２３】つづら折れカードを示す斜視図である。
【図２４】駐車料金精算装置の内部に配設された各センサの配設位置を模式的に示す模式図である。
【図２５】駐車料金精算装置から発行される定期カードを示すものであって、（Ａ）は第１の定期カード、（Ｂ）は第２の定期カード、（Ｃ）は第３の定期カード、（Ｄ）は、第４の定期カードを示す正面図である。
【図２６】駐車料金精算装置から発行されるプリペイドカードを示すものであって、（Ａ）は第１のプリペイドカード、（Ｂ）は第２のプリペイドカードを示す正面図である。
【図２７】駐車料金精算装置から発行されるフリーパスカードを示す正面図である。
【図２８】スタートから[Ａ]，[Ｂ]，[Ｃ]，[Ｄ]，[Ｅ]までの動作を示すフローチャートである。
【図２９】図２８に示す[Ａ]から[Ｆ]までの動作を示すフローチャートである。
【図３０】図２９に示す[Ｆ]からエンド（終了）までの動作を示すフローチャートである。
【図３１】図２８に示す[Ｂ]から[Ｇ]までの動作を示すフローチャートである。
【図３２】図３１に示す[Ｇ]からエンド（終了）までの動作を示すフローチャートである。
【図３３】図２８に示す[Ｃ]から[Ｈ]までの動作を示すフローチャートである。
【図３４】図２８に示す[Ｄ]から[Ｈ]までの動作を示すフローチャートである。
【図３５】図２８に示す[Ｅ]から[Ｈ]までの動作を示すフローチャートである。
【図３６】駐車料金精算装置に挿入された駐車カード，回数券又はサービス券の移動動作を模式的に示す模式図である。
【図３７】駐車料金精算装置の内部にプールされた駐車カードが排出されるまでの移動動作を模式的に示す模式図である。
【図３８】駐車料金精算装置の内部に挿入された駐車カードが回収ボックスに回収されるまでの移動動作を模式的に示す模式図である。
【図３９】第１のカード収容部に収容されたリライトカードが、定期カード又はプリペイドカードとして発行されるまでの移動動作を模式的に示す模式図である。
【図４０】第２又は第３のカード収容部に収容されたつづら折れカードが、フリーパスカード又は小額プリペイドカード若しくはレシートとして発行されるまでの途中の移動動作を模式的に示す模式図である。
【符号の説明】
【００９３】
１    給油料金精算装置
２    給油装置
１１    表示部
１２    カード挿入口
１４    硬貨投入口
１５    紙幣投入口
１６    釣札放出口
１７    釣銭受け皿
２６    前方側カード搬送機構
３１    磁気ヘッド
３３    サーマルヘッド
３４    消去ヘッド
５５    後方側カード搬送機構
７０    第１のカード収容部
８０    第２のカード収容部
８１    第３のカード収容部
８４    紙製カード搬送機構
１３０（Ｃ２）        お釣り預かり券
１４０（Ｃ１）    樹脂製プリペイドカード
１５０（Ｃ２）    領収書
１６１（Ｃ２）    割引券
１７０（Ｃ２）    プレゼント券
２３０    駐車料金精算装置
２３１    カード挿入口
２３２    硬貨投入口
２３３    紙幣投入口
２３８    表示部
２５４    第１のカード収容部
２５７    サーマルヘッド
２５８    消去ヘッド
２６０    磁気ヘッド
２６４    第２のカード収容部
２６５    第３のカード収容部
２６６    つづら折れカード
２６７    使い捨てカード
３００・・・３０３    定期カード
３０４，３０５    プリペイドカード
【図１】
2005056116.tif 000003
【図２】
2005056116.tif 000004
【図３】
2005056116.tif 000005
【図４】
2005056116.tif 000006
【図５】
2005056116.tif 000007
【図６】
2005056116.tif 000008
【図７】
2005056116.tif 000009
【図８】
2005056116.tif 000010
【図９】
2005056116.tif 000011
【図１０】
2005056116.tif 000012
【図１１】
2005056116.tif 000013
【図１２】
2005056116.tif 000014
【図１３】
2005056116.tif 000015
【図１４】
2005056116.tif 000016
【図１５】
2005056116.tif 000017
【図１６】
2005056116.tif 000018
【図１７】
2005056116.tif 000019
【図１８】
2005056116.tif 000020
【図１９】
2005056116.tif 000021
【図２０】
2005056116.tif 000022
【図２１】
2005056116.tif 000023
【図２２】
2005056116.tif 000024
【図２３】
2005056116.tif 000025
【図２４】
2005056116.tif 000026
【図２５】
2005056116.tif 000027
【図２６】
2005056116.tif 000028
【図２７】
2005056116.tif 000029
【図２８】
2005056116.tif 000030
【図２９】
2005056116.tif 000031
【図３０】
2005056116.tif 000032
【図３１】
2005056116.tif 000033
【図３２】
2005056116.tif 000034
【図３３】
2005056116.tif 000035
【図３４】
2005056116.tif 000036
【図３５】
2005056116.tif 000037
【図３６】
2005056116.tif 000038
【図３７】
2005056116.tif 000039
【図３８】
2005056116.tif 000040
【図３９】
2005056116.tif 000041
【図４０】
2005056116.tif 000042